(57)【要約】【課題】利用者と対応づけて情報の個々の伝達過程を明示することを支援することが可能な、通信端末、情報処理装置、通信方法、情報処理方法、プログラム、及び通信システムを提供する。【解決手段】他の通信端末から、通信サービスに接続するための接続情報と前記他の通信端末の利用者の識別情報とを含む第１の情報を取得する情報取得部と、前記情報取得部により取得された前記第１の情報に基づいて、前記接続情報と自端末の利用者の識別情報とを含む第２の情報を生成する情報生成部と、を備える、通信端末。【選択図】図３１
2014073276.tif 000002
【特許請求の範囲】
【請求項１】
他の通信端末から、通信サービスに接続するための接続情報と前記他の通信端末の利用者の識別情報とを含む第１の情報を取得する情報取得部と、
前記情報取得部により取得された前記第１の情報に基づいて、前記接続情報と自端末の利用者の識別情報とを含む第２の情報を生成する情報生成部と、
を備える、通信端末。
【請求項２】
前記通信端末は、前記通信サービスを管理するサービス管理装置に対して、前記他の通信端末の利用者の識別情報および前記通信端末の利用者の識別情報を通信部に送信させる送信制御部をさらに備える、請求項１に記載の通信端末。
【請求項３】
前記第１の情報は情報コードであり、
前記情報取得部は、前記他の通信端末に表示された前記第１の情報である情報コードを撮像により取得する、請求項１に記載の通信端末。
【請求項４】
前記通信端末は、前記情報生成部により生成された前記第２の情報を他の通信端末へ伝搬する情報伝搬部をさらに備える、請求項１に記載の通信端末。
【請求項５】
前記第２の情報は情報コードであり、
前記情報伝搬部は、前記第２の情報である情報コードを表示により伝搬する、請求項４に記載の通信端末。
【請求項６】
前記送信制御部は、前記情報取得部による前記第１の情報の取得に応じて、前記他の通信端末の利用者の識別情報および前記通信端末の利用者の識別情報を前記通信部に送信させる、請求項２に記載の通信端末。
【請求項７】
前記接続情報は、前記サービス管理装置のアドレス情報および前記通信サービスの識別情報を含む、請求項２に記載の通信端末。
【請求項８】
前記接続情報は、前記通信サービスに接続された所定のアクセスポイントの識別子および前記所定のアクセスポイントに接続するための認証情報を含む、請求項１に記載の通信端末。
【請求項９】
通信サービスの接続情報および自端末の利用者の識別情報を第１の通信端末から伝搬された通信端末である第２の通信端末から、前記第１の通信端末の利用者の識別情報と、前記第２の通信端末の利用者の識別情報と、を受信する受信部と、
前記第１の通信端末の利用者と前記第２の通信端末の利用者との関連性を示すソーシャルグラフを生成するグラフ生成部と、
を備える、情報処理装置。
【請求項１０】
前記受信部は、前記接続情報および前記第２の通信端末の利用者の識別情報を前記第２の通信端末から伝搬された通信端末である第３の通信端末から、前記第２の通信端末の利用者の識別情報と、前記第３の通信端末の利用者の識別情報と、をさらに受信し、
前記グラフ生成部は、前記ソーシャルグラフに対して、前記第２の通信端末の利用者と前記第３の通信端末の利用者との関係性を示すグラフを追加する、請求項９に記載の情報処理装置。
【請求項１１】
他の通信端末から、通信サービスに接続するための接続情報と前記他の通信端末の利用者の識別情報とを含む第１の情報を取得することと、
取得された前記第１の情報に基づいて、前記接続情報と自端末の利用者の識別情報とを含む第２の情報を生成することと、
を備える、通信方法。
【請求項１２】
通信サービスの接続情報および自端末の利用者の識別情報を第１の通信端末から伝搬された通信端末である第２の通信端末から、前記第１の通信端末の利用者の識別情報と、前記第２の通信端末の利用者の識別情報と、を受信することと、
前記第１の通信端末の利用者と前記第２の通信端末の利用者との関連性を示すソーシャルグラフを生成することと、
を備える、情報処理方法。
【請求項１３】
コンピュータを、
他の通信端末から、通信サービスに接続するための接続情報と前記他の通信端末の利用者の識別情報とを含む第１の情報を取得する情報取得部と、
前記情報取得部により取得された前記第１の情報に基づいて、前記接続情報と自端末の利用者の識別情報とを含む第２の情報を生成する情報生成部、
として機能させるための、プログラム。
【請求項１４】
通信端末、および情報処理装置を有し、
前記通信端末は、
他の通信端末から、通信サービスに接続するための接続情報と前記他の通信端末の利用者の識別情報とを含む第１の情報を取得する情報取得部と、
前記情報取得部により取得された前記第１の情報に基づいて、前記接続情報と自端末の利用者の識別情報とを含む第２の情報を生成する情報生成部と、
を備え、
前記情報処理装置は、
前記通信端末から、前記他の通信端末の利用者の識別情報および前記通信端末の利用者の識別情報を受信する受信部と、
前記他の通信端末の利用者と前記通信端末の利用者との関連性を示すソーシャルグラフを生成するグラフ生成部と、
を備える、通信システム。
【発明の詳細な説明】
【技術分野】
【０００１】
本開示は、通信端末、情報処理装置、通信方法、情報処理方法、プログラム、及び通信システムに関する。
【背景技術】
【０００２】
近年、携帯電話などの携帯型の通信端末が普及しており、場所の制約をほとんど受けることなく、個人が他者と情報交換することが可能になっている。また、ＳＮＳ（Ｓｏｃｉａｌ  Ｎｅｔｗｏｒｋｉｎｇ  Ｓｅｒｖｉｃｅ）などの、知人間での情報共有や人々の繋がりを支援する情報処理技術も発達している。【０００３】
例えば、特許文献１では、携帯端末の通信履歴に基づいて、ユーザ間の関連度を判断することにより、ソーシャルグラフを管理および更新する技術が開示されている。また、特許文献２では、通信端末の通信履歴に基づいて、情報の伝播力の高い人物を推定する技術が開示されている。
【先行技術文献】
【特許文献】
【０００４】
【特許文献１】特開２０１２−１３３７３５号公報
【特許文献２】特開２０１２−０６４１５１号公報
【発明の概要】
【発明が解決しようとする課題】
【０００５】
しかしながら、上記の技術では、利用者と対応づけて情報の個々の伝達過程を明示することを支援することができない。例えば、パーティ会場などの多数の参加者が集まる場において、どの参加者の間でどのような順序で情報が伝達されていったかという過程を把握することができない。【０００６】
そこで、本開示では、利用者と対応づけて情報の個々の伝達過程を明示することを支援することが可能な、新規かつ改良された通信端末、情報処理装置、通信方法、情報処理方法、プログラム、及び通信システムを提供することにある。
【課題を解決するための手段】
【０００７】
上記課題を解決するために、本開示のある観点によれば、他の通信端末から、通信サービスに接続するための接続情報と前記他の通信端末の利用者の識別情報とを含む第１の情報を取得する情報取得部と、前記情報取得部により取得された前記第１の情報に基づいて、前記接続情報と自端末の利用者の識別情報とを含む第２の情報を生成する情報生成部と、を備える、通信端末が提供される。【０００８】
また、上記課題を解決するために、本開示の別の観点によれば、通信サービスの接続情報および自端末の利用者の識別情報を第１の通信端末から伝搬された通信端末である第２の通信端末から、前記第１の通信端末の利用者の識別情報と、前記第２の通信端末の利用者の識別情報と、を受信する受信部と、前記第１の通信端末の利用者と前記第２の通信端末の利用者との関連性を示すソーシャルグラフを生成するグラフ生成部と、を備える、情報処理装置が提供される。【０００９】
また、上記課題を解決するために、本開示の別の観点によれば、他の通信端末から、通信サービスに接続するための接続情報と前記他の通信端末の利用者の識別情報とを含む第１の情報を取得することと、取得された前記第１の情報に基づいて、前記接続情報と自端末の利用者の識別情報とを含む第２の情報を生成することと、を備える、通信方法が提供される。【００１０】
また、上記課題を解決するために、本開示の別の観点によれば、通信サービスの接続情報および自端末の利用者の識別情報を第１の通信端末から伝搬された通信端末である第２の通信端末から、前記第１の通信端末の利用者の識別情報と、前記第２の通信端末の利用者の識別情報と、を受信することと、前記第１の通信端末の利用者と前記第２の通信端末の利用者との関連性を示すソーシャルグラフを生成することと、を備える、情報処理方法が提供される。【００１１】
また、上記課題を解決するために、本開示の別の観点によれば、コンピュータを、他の通信端末から、通信サービスに接続するための接続情報と前記他の通信端末の利用者の識別情報とを含む第１の情報を取得する情報取得部と、前記情報取得部により取得された前記第１の情報に基づいて、前記接続情報と自端末の利用者の識別情報とを含む第２の情報を生成する情報生成部、として機能させるための、プログラムが提供される。【００１２】
また、上記課題を解決するために、本開示の別の観点によれば、通信端末、および情報処理装置を有し、前記通信端末は、他の通信端末から、通信サービスに接続するための接続情報と前記他の通信端末の利用者の識別情報とを含む第１の情報を取得する情報取得部と、前記情報取得部により取得された前記第１の情報に基づいて、前記接続情報と自端末の利用者の識別情報とを含む第２の情報を生成する情報生成部と、を備え、前記情報処理装置は、前記通信端末から、前記他の通信端末の利用者の識別情報および前記通信端末の利用者の識別情報を受信する受信部と、前記他の通信端末の利用者と前記通信端末の利用者との関連性を示すソーシャルグラフを生成するグラフ生成部と、を備える、通信システムが提供される。
【発明の効果】
【００１３】
以上説明したように本開示によれば、利用者と対応づけて情報の個々の伝達過程を明示することを支援することができる。
【図面の簡単な説明】
【００１４】
【図１】本開示の第１の実施形態による通信システムの構成を示した説明図である。
【図２】同実施形態による第１の通信端末のハードウェア構成を示した説明図である。
【図３】同実施形態の概要について示した説明図である。
【図４】同実施形態による第１の通信端末の構成を示した機能ブロック図である。
【図５】同実施形態による第２の通信端末の構成を示した機能ブロック図である。
【図６】同実施形態による再生リストの構成の一例を示した説明図である。
【図７】同実施形態による再生リスト画面の構成の一例を示した説明図である。
【図８】同実施形態によるアプリ起動からコンテンツの再生までの動作を示した第１のシーケンス図である。
【図９】同実施形態によるアプリ起動からコンテンツの再生までの動作を示した第２のシーケンス図である。
【図１０】同実施形態によるアプリ起動からコンテンツの再生までの動作を示した第３のシーケンス図である。
【図１１】同実施形態による再生コンテンツの切り替えの動作を示した第１のシーケンス図である。
【図１２】同実施形態による再生コンテンツの切り替えの動作を示した第２のシーケンス図である。
【図１３】同実施形態の第１の変形例による通信システムの構成を示した説明図である。
【図１４】同変形例による第１の通信端末の構成を示した機能ブロック図である。
【図１５】同変形例による再生リストテーブルの構成の一例を示した説明図である。
【図１６】同変形例による画像テーブルの構成の一例を示した説明図である。
【図１７】同変形例によるイベント振り返り画面の構成の一例を示した説明図である。
【図１８】同変形例による動作を示したシーケンス図である。
【図１９】同実施形態の第２の変形例による通信システムの構成を示した説明図である。
【図２０】同変形例による第１の通信端末の構成を示した機能ブロック図である。
【図２１】同変形例による音楽販売サービスで管理されるデータの構成の一例を示した説明図である。
【図２２】同変形例による動作を示したシーケンス図である。
【図２３】本開示の第２の実施形態による通信システムの構成を示した説明図である。
【図２４】同実施形態によるイベントサマリー画面の構成の一例を示した説明図である。
【図２５】同実施形態による画像処理装置の構成を示した機能ブロック図である。
【図２６】同実施形態による出現度テーブルの構成の一例を示した説明図である。
【図２７】同実施形態による撮影画像の一例を示した説明図である。
【図２８】同実施形態による撮影画像群の評価方法の一例を示した説明図である。
【図２９】同実施形態による動作を示したシーケンス図である。
【図３０】本開示の第３の実施形態による通信システムの構成を示した説明図である。
【図３１】同実施形態の概要について示した説明図である。
【図３２】同実施形態による通信端末および画像処理装置の構成を示した機能ブロック図である。
【図３３】同実施形態による伝搬情報テーブルの構成の一例を示した説明図である。
【図３４】同実施形態による動作を示したシーケンス図である。
【図３５】同実施形態による情報コードに登録されるデータの一例を示した説明図である。
【図３６】本開示の第４の実施形態による通信システムの構成を示した説明図である。
【図３７】同実施形態の概要について示した説明図である。
【図３８】同実施形態による第１の通信端末の構成を示した機能ブロック図である。
【図３９】同実施形態による第２の通信端末の構成を示した機能ブロック図である。
【図４０】同実施形態によるコンテンツ共有サービス画面の構成の一例を示した説明図である。
【図４１】同実施形態によるコンテンツ共有リストの構成の一例を示した説明図である。
【図４２】同実施形態によるコンテンツ共有サービス中の動作を示したシーケンス図である。
【図４３】同実施形態によるコンテンツ共有サービス後の動作を示したシーケンス図である。
【発明を実施するための形態】
【００１５】
以下に添付図面を参照しながら、本開示の好適な実施の形態について詳細に説明する。本開示は、一例として「１．第１の実施形態の詳細な説明」から「４．第４の実施形態の詳細な説明」において詳細に説明するように、多様な形態で実施され得る。また、以下に示す項目順序に従って当該「発明を実施するための形態」を説明する。
１．第１の実施形態の詳細な説明
１−１．第１の実施形態
１−２．第１の実施形態の第１の変形例
１−３．第１の実施形態の第２の変形例
２．第２の実施形態の詳細な説明
２−１．画像処理システムの基本構成
２−２．第２の実施形態の概要
２−３．第２の実施形態による構成
２−４．第２の実施形態による動作
２−５．第２の実施形態による効果
３．第３の実施形態の詳細な説明
３−１．通信システムの基本構成
３−２．第３の実施形態の概要
３−３．第３の実施形態による構成
３−４．第３の実施形態による動作
３−５．第３の実施形態による効果
４．第４の実施形態の詳細な説明
４−１．通信システムの基本構成
４−２．第４の実施形態の概要
４−３．第４の実施形態による構成
４−４．第４の実施形態による動作
４−５．第４の実施形態による効果
【００１６】
なお、本明細書及び図面において、実質的に同一の機能構成を有する構成要素については、同一の符号を付することにより重複説明を省略する。
【００１７】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて通信端末３１０ａ、通信端末３１０ｂ、および通信端末３１０ｃのように区別する。ただし、実質的に同一の機能構成を有する複数の構成要素の各々を特に区別する必要がない場合、同一符号のみを付する。例えば、通信端末３１０ａ、通信端末３１０ｂ、および通信端末３１０ｃを特に区別する必要が無い場合には、単に通信端末３１０と称する。
【００１８】
＜１．第１の実施形態の詳細な説明＞
［１−１．第１の実施形態］
最初に、第１の実施形態が解決しようとする課題について説明する。従来、例えばパーティ会場などの多数の人が集まる場において、ＢＧＭ（Ｂａｃｋｇｒｏｕｎｄ  Ｍｕｓｉｃ）を再生する方法として、（Ａ）パーティの主催者やＤＪ（Ｄｉｓｃ  Ｊｏｃｋｅｙ）など一部の参加者だけが音楽を選んで再生する技術や、（Ｂ）有線放送やサブスクプションサービスなどを用いて、自動的に音楽を再生し続ける技術が開発されている。しかし、上記の（Ａ）および（Ｂ）の技術に関しては、下記の欠点がある。例えば、参加者全員がその場で音楽を選ぶことができず、参加者全員が任意のタイミングで音楽を再生または切り替えることもできず、また参加者全員が、例えばパーティ会場などで再生された音楽をパーティの閉会後に検索したり、視聴および購入することができない。
【００１９】
また、特開２０１２−１３３７３５号公報および特開２０１２−０６４１５１号公報に記載された技術では、複数の通信端末の利用者による共同活動を十分支援することができないという事情がある。例えば、パーティ会場などの多数の人が集まる場において、コンテンツの再生を全員で楽しみたい場合には、再生させるコンテンツを任意の参加者がその場で選択できることが望まれるが、上記の技術では実現することができない。また、再生させるコンテンツを任意の参加者が任意のタイミングで容易に切り替えることもできない。
【００２０】
そこで、上記事情を一着眼点にして第１の実施形態による第１の通信端末１１０を創作するに至った。第１の実施形態による第１の通信端末１１０は、複数の通信端末の利用者による共同活動を支援することができる。
【００２１】
このような第１の実施形態による第１の通信端末１１０（通信端末）は、
Ａ．第２の通信端末１２０（他の通信端末）から、前記第２の通信端末１２０に記憶されたコンテンツに対応づけられたメタ情報を取得する通信部１１００（取得部）と、
Ｂ．前記第２の通信端末１２０との間で共有され、前記第２の通信端末１２０から取得された前記メタ情報に対応するコンテンツを再生させるための再生リストを管理する再生リスト管理部１１０２と、
を備える。
【００２２】
また、第１の実施形態による第２の通信端末１２０は、
Ｃ．１以上のコンテンツを記憶する記憶部１２０２と、
Ｄ．前記記憶部１２０２に記憶されたコンテンツに対応づけられたメタ情報を第１の通信端末１１０（他の通信端末）へ送信する通信部１２００（送信部）と、
Ｅ．前記第１の通信端末１１０との間で共有され、前記メタ情報に対応するコンテンツを再生させるための再生リストを前記第１の通信端末１１０から受信する通信部１２００（受信部）と、
Ｆ．前記再生リストに基づいた再生リスト画面を表示する表示部１２０４と、
を備える。
【００２３】
（１−１−１．通信システムの基本構成）
以下では、まず、このような第１の実施形態による通信システムの基本構成について図１を参照して説明する。図１に示したように、第１の実施形態による通信システムは、第１の通信端末１１０、通信網１１２、第２の通信端末１２０、および再生装置１３０を含む。
【００２４】
‐第１の通信端末１１０‐
第１の通信端末１１０は、後述する通信網１１２に接続可能な通信端末である。第１の通信端末１１０は、例えば、スマートフォンなどの携帯電話、タブレット端末、ＰＤＡ（Ｐｅｒｓｏｎａｌ  Ｄｉｇｉｔａｌ  Ａｓｓｉｓｔａｎｔ）、デジタルスチルカメラ、デジタルビデオカメラ、ゲーム機などであってもよい。
【００２５】
この第１の通信端末１１０は、例えば図２に示すようなハードウェア構成を有する。図２に示したように、第１の通信端末１１０は、ＣＰＵ（Ｃｅｎｔｒａｌ  Ｐｒｏｃｅｓｓｉｎｇ  Ｕｎｉｔ）１１５０、ＲＯＭ（Ｒｅａｄ  Ｏｎｌｙ  Ｍｅｍｏｒｙ）１１５２、ＲＡＭ（Ｒａｎｄｏｍ  Ａｃｃｅｓｓ  Ｍｅｍｏｒｙ）１１５４、内部バス１１５６、インターフェース１１５８、入力装置１１６０、出力装置１１６２、ストレージ装置１１６４、撮影装置１１６６、および通信装置１１６８を備える。
【００２６】
ＣＰＵ１１５０は、例えば、後述する第１の通信端末１１０の再生リスト管理部１１０２、および再生制御部１１１０の一例として構成される。このＣＰＵ１１５０は、演算処理装置および制御装置として機能し、各種プログラムに従って第１の通信端末１１０内の動作全般を制御する。このＣＰＵ１１５０は、マイクロプロセッサであってもよい。
【００２７】
ＲＯＭ１１５２は、ＣＰＵ１１５０が使用するプログラムや演算パラメータ等を記憶する。また、ＲＡＭ１１５４は、ＣＰＵ１１５０の実行において使用するプログラムや、その実行において適宜変化するパラメータ等を一時記憶する。ＣＰＵ１１５０、ＲＯＭ１１５２、およびＲＡＭ１１５４は、ＣＰＵバスなどから構成される内部バス１１５６により相互に接続されている。
【００２８】
インターフェース１１５８は、入力装置１１６０、出力装置１１６２、ストレージ装置１１６４、撮影装置１１６６、および通信装置１１６８を、内部バス１１５６と接続する。例えば入力装置１１６０は、このインターフェース１１５８および内部バス１１５６を介して、ＣＰＵ１１５０などとの間でデータをやり取りする。
【００２９】
入力装置１１６０は、例えばタッチパネル、ボタン、マイクロフォン、およびスイッチなどユーザが情報を入力するための入力手段と、ユーザによる入力に基づいて入力信号を生成し、ＣＰＵ１１５０に出力する入力制御回路などから構成されている。第１の通信端末１１０のユーザは、入力装置１１６０を操作することにより、第１の通信端末１１０に対して各種のデータを入力したり処理動作を指示したりすることができる。
【００３０】
出力装置１１６２は、例えば、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置を含む。さらに、出力装置１１６２は、スピーカーおよびヘッドホンなどの音声出力装置を含む。例えば、表示装置は、撮像された画像や生成された画像などを表示する。一方、音声出力装置は、音声データ等を音声に変換して出力する。
【００３１】
ストレージ装置１１６４は、例えば、後述する第１の通信端末１１０の記憶部１１０４の一例として構成されるデータ格納用の装置である。ストレージ装置１１６４は、記憶媒体、記憶媒体にデータを記録する記録装置、記憶媒体からデータを読み出す読出し装置、および記憶媒体に記録されたデータを削除する削除装置などを含んでもよい。このストレージ装置１１６４は、ＣＰＵ１１５０が実行するプログラムや各種データを格納する。
【００３２】
撮影装置１１６６は、例えば、後述する第１の通信端末１１０の撮影部１１１６の一例として構成される。撮影装置１１６６は、例えば、レンズ、およびＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像素子を含む。この撮影装置１１６６は、レンズを通して外部の映像を撮像素子に結像させ、静止画像又は動画像を撮影する機能を有する。
【００３３】
通信装置１１６８は、例えば後述する通信網１１２に接続するための通信デバイス等で構成された通信インターフェースである。この通信装置１１６８は、例えば後述する第１の通信端末１１０の通信部１１００の一例として構成される。また、通信装置１１６８は、無線ＬＡＮ対応通信装置、またはＬＴＥ（Ｌｏｎｇ  Ｔｅｒｍ  Ｅｖｏｌｕｔｉｏｎ）対応通信装置であってもよい。
【００３４】
なお、第１の通信端末１１０のハードウェア構成は上述した構成に限定されない。例えば、図２には図示していないが、第１の通信端末１１０は、ＧＰＳ（Ｇｌｏｂａｌ  Ｐｏｓｉｔｉｏｎｉｎｇ  Ｓｙｓｔｅｍ）受信機能、時計機能、加速度センサ、ジャイロスコープ、気圧センサ、地磁気センサなどを有してもよい。
【００３５】
‐通信網１１２‐
通信網１１２は、通信網１１２に接続されている装置から送信される情報の無線、または有線の伝送路である。例えば、通信網１１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、通信網１１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００３６】
‐第２の通信端末１２０‐
第２の通信端末１２０は、通信網１１２に接続可能な通信端末である。第２の通信端末１２０は、第１の通信端末１１０と同様に、例えば、スマートフォンなどの携帯電話、タブレット端末、ＰＤＡ、デジタルスチルカメラ、デジタルビデオカメラ、ゲーム機などであってもよい。また、第２の通信端末１２０は、上述した第１の通信端末１１０と同様のハードウェア構成を有してもよい。
【００３７】
‐再生装置１３０‐
再生装置１３０は、例えばＤＬＮＡ（Ｄｉｇｉｔａｌ  Ｌｉｖｉｎｇ  Ｎｅｔｗｏｒｋ  Ａｌｌｉａｎｃｅ）などに対応し、音楽や映像などのコンテンツを再生する装置である。この再生装置１３０は、例えばスピーカーなどの音声出力装置を含む。また、再生装置１３０は、例えば液晶ディスプレイ（ＬＣＤ）装置やＯＬＥＤ装置などの表示装置を含んでもよい。
【００３８】
（１−１−２．第１の実施形態の概要）
以上、第１の実施形態による通信システムの基本構成について説明した。続いて、上述した通信システムから構成される第１の実施形態の概要について、図３を参照して説明する。
【００３９】
ここでは一例として、パーティ会場などの施設において、第１の通信端末１１０を所持する利用者と、第２の通信端末１２０を所持する複数の利用者とが集合し、再生装置１３０により再生されるコンテンツを全員で鑑賞する状況に、第１の実施形態が適用される例について説明する。
【００４０】
図３に示したように、第１の通信端末１１０と第２の通信端末１２０とは、同じ再生リスト画面１５０を共有して表示することが可能な状況を前提とする。また、この再生リスト画面１５０の基となる再生リストは、第１の通信端末１１０により管理され、かつ、第１の通信端末１１０と第２の通信端末１２０との間で共有される。
【００４１】
第１の通信端末１１０の利用者または第２の通信端末１２０の利用者は、この再生リスト画面１５０において、自端末に記憶されているコンテンツをそれぞれ任意のタイミングで再生コンテンツとして投稿することができる。例えば第２の通信端末１２０の利用者が自端末に記憶されているコンテンツを再生リスト画面に追加すると、第１の通信端末１１０は、第２の通信端末１２０から、当該コンテンツに対応づけられた、コンテンツ名やアーティスト名などのメタ情報を取得する。そして、第１の通信端末１１０は、当該メタ情報を再生リストに追加し、当該再生リストを更新する。
【００４２】
また、再生リスト画面に投稿されたコンテンツは、再生リストに登録されている順番に沿って、当該コンテンツが記憶されている通信端末から再生装置１３０へ、例えばストリーミング形式により送信されることにより、再生される（Ｓ１１、Ｓ１２）。
【００４３】
上述したように、第１の実施形態によれば、第１の通信端末１１０は、第２の通信端末１２０から、第２の通信端末１２０に記憶されたコンテンツに対応づけられたメタ情報を取得する。そして、第１の通信端末１１０は、第２の通信端末１２０との間で共有され、第２の通信端末１２０から取得されたメタ情報に対応するコンテンツを再生させるための再生リストを管理する。このため、第１の通信端末１１０は、第２の通信端末１２０からの指示を受けて当該再生リストを更新することにより、再生させるコンテンツの種類および再生タイミングを適宜制御することができる。従って、第１の通信端末１１０は、第１の通信端末１１０および（１以上の）第２の通信端末１２０による共同活動を支援することができる。
【００４４】
（１−１−３．第１の実施形態による構成）
（１−１−３−１．第１の通信端末１１０）
以上、第１の実施形態の概要について説明した。続いて、第１の実施形態による構成について詳細に説明する。
【００４５】
図４は、第１の実施形態による第１の通信端末１１０の構成を示した機能ブロック図である。図４に示したように、第１の実施形態による第１の通信端末１１０は、通信部１１００（取得部）、再生リスト管理部１１０２、記憶部１１０４、記憶情報操作部１１０６（取得部）、再生リスト送信部１１０８、再生制御部１１１０、表示部１１１２、入力部１１１４（取得部）、および撮影部１１１６を有する。
【００４６】
通信部１１００は、通信網１１２を介して第２の通信端末１２０または再生装置１３０との間で各種情報を送受信する。例えば、通信部１１００は、第２の通信端末１２０から、第２の通信端末１２０に記憶されたコンテンツに対応づけられたメタ情報を受信する。また、通信部１１００は、再生中のコンテンツから再生リストに記録されたメタ情報のうちのいずれかに対応するコンテンツへ再生を変更させるための再生変更要求を、第２の通信端末１２０から受信する。また、通信部１１００は、後述する再生制御部１１１０の制御により、記憶部１１０４に記憶されているコンテンツを、例えばストリーミング形式により再生装置１３０に送信する。なお、上記のコンテンツは、例えば音楽や映像である。また、音楽は、人間による演奏曲や歌唱曲に限られず、例えば拍手音などのサウントエフェクトであってもよい。
【００４７】
再生リスト管理部１１０２は、第２の通信端末１２０との間で共有され、第２の通信端末１２０から取得されたメタ情報に対応するコンテンツを再生させるための再生リストを管理する。
【００４８】
例えば、再生リスト管理部１１０２は、通信部１１００または記憶情報操作部１１０６により取得されたメタ情報と、当該メタ情報の取得元である、第２の通信端末１２０または自端末に対応する利用者の識別情報と、を対応づけて再生リストに記録する。また、再生リスト管理部１１０２は、取得されたメタ情報と、当該メタ情報に対応するコンテンツを再生させる再生順と、を対応づけて再生リストにさらに記録する。また、再生リスト管理部１１０２は、メタ情報が取得された場合には、当該メタ情報に対応するコンテンツを再生させる再生順が再生リストに記録された再生順の最後になるように、メタ情報を再生リストに記録する。なお、上述した再生リスト管理部１１０２の機能の詳細については後に説明する。
【００４９】
ここで、図６を参照して、再生リストの構成の一例（再生リスト１４０）について説明する。図６に示したように、例えば、再生リスト１４０では、メタ情報（コンテンツ名）列１４００と、メタ情報（アーティスト名）列１４０２と、アカウント列１４０４と、再生順列１４０６とが対応づけて記録される。ここで、アカウント列１４０４には、当該コンテンツを再生リストに投稿した利用者、つまりメタ情報を第１の通信端末１１０へ送信した第２の通信端末の利用者のアカウントが記録される。また、再生順列１４０６には、当該コンテンツを再生させる再生順が記録される。例えば、図６の２行目に示したデータは、コンテンツ名が「楽曲１」であり、アーティスト名が「アーティストＡ」であり、当該コンテンツを投稿したアカウント名が「Ａｋｋｏ」であり、当該コンテンツの再生順が「１番目」であることを示している。
【００５０】
記憶部１１０４は、例えば再生リスト管理部１１０２により記録された再生リストや、利用者によりダウンロードされたコンテンツやソフトウェアなどを記憶する。
【００５１】
記憶情報操作部１１０６は、再生リスト管理部１１０２の指示により、記憶部１１０４からのデータの取得、または記憶部１１０４に対するデータの記録を行う。例えば、記憶情報操作部１１０６は、記憶部１１０４に記憶されたコンテンツに対応づけられたメタ情報を記憶部１１０４から取得する。また、記憶情報操作部１１０６は、再生リスト管理部１１０２により記録された再生リストを記憶部１１０４に記憶させる。
【００５２】
再生リスト送信部１１０８は、第２の通信端末１２０に対して、再生リストを送信する。また、再生リスト送信部１１０８は、再生リスト管理部１１０２により再生リストが更新された場合には、更新された再生リストを第２の通信端末１２０に送信する。なお、再生リスト送信部１１０８は、通信部１１００に組み込まれて、上記の機能を実現してもよい。
【００５３】
再生制御部１１１０は、再生リストに記録された再生順に従って、再生リストに記録されたメタ情報に対応するコンテンツの再生指示を、当該コンテンツを記憶している第２の通信端末１２０へ、通信部１１００を介して送信する。また、再生制御部１１１０は、通信部１１００または入力部１１１４により再生変更要求が取得された場合には、再生中のコンテンツから当該再生変更要求により指定されるコンテンツに再生を変更させるように、当該指定のコンテンツを記憶している通信端末に指示する。
【００５４】
表示部１１１２は、例えば再生リスト画面などの各種表示画面を表示する。
【００５５】
ここで、図７を参照して、再生リスト画面の構成の一例（再生リスト画面１５０）について説明する。図７に示したように、再生リスト画面１５０は、例えば、再生リストに記録されたコンテンツのサムネイル１５００、当該コンテンツのメタ情報表示欄１５０２、当該コンテンツの投稿者のアカウント欄１５０４、再生中のコンテンツの指示表示１５０６、および表示画面の選択ボタン１５０８を含む。ここで、表示部１１１２は、サムネイル１５００には、第１の通信端末１１０または第２の通信端末１２０から取得されるサムネイルを表示してもよいし、当該コンテンツのメタ情報に基づいて所定のＷｅｂページから取得されるサムネイルを表示してもよい。また、表示部１１１２は、メタ情報表示欄１５０２およびアカウント欄１５０４にそれぞれ、例えば図６に示した再生リスト１４０において対応する項目を表示してもよい。また、表示画面の選択ボタン１５０８は、例えば、写真用画面と音楽用画面のような、再生させるコンテンツごとに設けられた表示画面の表示を切り替えるためのボタンであってもよい。
【００５６】
入力部１１１４は、利用者による各種操作を受け付ける。例えば、入力部１１１４は、上述した再生変更要求を受け付ける。
【００５７】
撮影部１１１６は、外部の映像を、レンズを通して撮像素子に結像させ、静止画像又は動画像を撮影する機能を有する。例えば、撮影部１１１６は、第１の通信端末１１０の利用者の顔画像を撮影することができる。
【００５８】
なお、第１の実施形態によれば、第１の通信端末１１０に内蔵されるＣＰＵ１１５０、ＲＯＭ１１５２およびＲＡＭ１１５４などのハードウェアを、上述した第１の通信端末１１０の各構成と同等の機能を発揮させるためのコンピュータプログラムも提供可能である。また、該コンピュータプログラムを記憶させた記憶媒体も提供される。
【００５９】
以上、第１の実施形態による第１の通信端末１１０の構成について説明したが、上述した構成に限定されない。例えば、撮影部１１１６は含まれなくてもよい。また、記憶部１１０４、記憶情報操作部１１０６、表示部１１１２、入力部１１１４、および撮影部１１１６のうちいずれか一つ以上は、他の装置に備えられてもよい。
【００６０】
（１−１−３−２．第２の通信端末１２０）
また、図５に示したように、第１の実施形態による第２の通信端末１２０は、通信部１２００（送信部、受信部）、記憶部１２０２、表示部１２０４、入力部１２０６、および撮影部１２０８を有する。
【００６１】
通信部１２００は、通信網１１２を介して第１の通信端末１１０または再生装置１３０との間で各種情報を送受信する。例えば、通信部１２００は、後述する記憶部１２０２に記憶されたコンテンツに対応づけられたメタ情報を第１の通信端末へ送信したり、再生リストを第１の通信端末１１０から受信したりする。
【００６２】
記憶部１２０２は、例えば第１の通信端末１１０から受信される再生リストや、利用者によりダウンロードされたコンテンツやソフトウェアなどを記憶する。
【００６３】
表示部１２０４は、例えば再生リスト画面などの各種表示画面を表示する。
【００６４】
入力部１２０６は、利用者による各種操作を受け付ける。例えば、入力部１２０６は、上述した再生変更要求を受け付ける。
【００６５】
撮影部１２０８は、第１の通信端末１１０における撮影部１１１６と同様の機能を有する。
【００６６】
（１−１−４．第１の実施形態による動作）
（１−１−４−１．アプリ起動からコンテンツの再生までの動作）
以上、第１の実施形態による構成について説明した。続いて、第１の実施形態による動作について説明する。最初に、第１の実施形態によるアプリ起動からコンテンツの再生までの動作について説明する。図８は、第１の実施形態によるアプリ起動からコンテンツの再生までの動作を示す第１のシーケンス図である。
【００６７】
図８に示したように、まず、第１の通信端末１１０の利用者は、第１の実施形態による通信システムを利用するためのアプリケーションを所定のＵＲＬ（Ｕｎｉｆｏｒｍ  Ｒｅｓｏｕｒｃｅ  Ｌｏｃａｔｏｒ）からダウンロードする。そして、記憶部１１０４は当該アプリケーションを記憶する（Ｓ１０１）。続いて、入力部１１１４に対する利用者の操作により、当該アプリケーションが起動する（Ｓ１０３）。
【００６８】
同様に、第２の通信端末１２０の利用者は、当該アプリケーションを所定のＵＲＬからダウンロードする。そして、記憶部１２０２は当該アプリケーションを記憶する（Ｓ１０２）。続いて、入力部１２０６に対する利用者の操作により、当該アプリケーションが起動する（Ｓ１０４）。
【００６９】
その後、入力部１１１４を介して利用者が当該アプリケーションを操作することにより、第１の通信端末１１０は、当該通信システム上でコンテンツを再生させるための或るイベントを開始する（Ｓ１０５）。
【００７０】
なお、上記の説明では、第１の通信端末１１０は、所定のＵＲＬからダウンロードされるアプリケーションによりイベントを開始する例について説明したが、本開示はかかる例に限定されない。例えば、第１の通信端末１１０は、当該通信システムにおける所定のＷｅｂサーバにアクセスし、当該Ｗｅｂサーバにより提供されるＷｅｂページ上でイベントを開始してもよい。
【００７１】
続いて、再生リスト管理部１１０２は、当該イベントに対応する再生リストを生成する（Ｓ１０６）。
【００７２】
続いて、第１の通信端末１１０は、当該イベントを利用するための、例えばＵＲＬを含むＱＲコード（登録商標）を生成する（Ｓ１０７）。
【００７３】
続いて、表示部１１１２は、生成されたＱＲコード（登録商標）を表示する。そして、入力部１２０６に対する利用者の操作により、第２の通信端末１２０の撮影部１２０８は、第１の通信端末１１０に表示された当該ＱＲコード（登録商標）を読み取る（Ｓ１０８）。
【００７４】
続いて、入力部１２０６に対する利用者の操作により、通信部１２００は、当該ＱＲコード（登録商標）に含まれるＵＲＬへアクセスし、イベント参加の通知を第１の通信端末１１０へ送信する（Ｓ１０９）。
【００７５】
第１の通信端末１１０が当該イベント参加の通知を受信すると、再生リスト送信部１１０８は、Ｓ１０６で生成された再生リストを、通信部１１００を介して第２の通信端末１２０へ送信する（Ｓ１１０）。
【００７６】
続いて、入力部１１１４に対する利用者の操作により、撮影部１１１６は第１の通信端末１１０の利用者の顔画像を撮影する（Ｓ１１１）。同様に、入力部１２０６に対する利用者の操作により、撮影部１２０８は第２の通信端末１２０の利用者の顔画像を撮影する（Ｓ１１２）。なお、Ｓ１１１およびＳ１１２で撮影された顔画像は、例えば再生リスト画面において当該利用者を表示するために使用される。また、Ｓ１１１またはＳ１１２の動作は省略されてもよい。
【００７７】
同様に、入力部１２０６に対する利用者の操作により、撮影部１２０８は第２の通信端末１２０の利用者の顔画像を撮影する（Ｓ１１２）。なお、Ｓ１１２の動作は省略されてもよい。
【００７８】
‐第２の通信端末１２０に記憶されているメタ情報を再生リストに更新する動作‐
図９は、Ｓ１１２より後の動作を説明するための第１のシーケンス図である。この図９は、第１の通信端末１１０が、第２の通信端末１２０に記憶されているコンテンツのメタ情報を第２の通信端末１２０から受信し、再生リストに記録する動作を示している。なお、説明の便宜上、以下では、第２の通信端末１２０が複数存在する場合であっても、複数の第２の通信端末１２０のうちの任意の一台に注目して説明を行う。
【００７９】
図９に示したように、Ｓ１１２の後で、第１の通信端末１１０の表示部１１１２は、当該アプリケーションにより、再生リストに基づいた再生リスト画面を表示する（Ｓ１１３）。同様に、第２の通信端末１２０の表示部１２０４は、当該アプリケーションにより、再生リストに基づいた再生リスト画面を表示する（Ｓ１１４）。
【００８０】
続いて、第２の通信端末１２０の利用者は、記憶部１２０２に記憶されているコンテンツの中から再生装置１３０に再生させることを希望するコンテンツを、入力部１２０６に対する操作により選択する（Ｓ１１５）。
【００８１】
続いて、通信部１２００は、選択されたコンテンツに対応するメタ情報と、第２の通信端末１２０の利用者のアカウントと、を第１の通信端末１１０へ送信する（Ｓ１１６）。
【００８２】
続いて、第１の通信端末１１０の再生リスト管理部１１０２は、第２の通信端末１２０から受信された、メタ情報と、アカウントと、を対応づけて再生リストに記録する。また、再生リスト管理部１１０２は、当該メタ情報と、当該メタ情報に対応するコンテンツを再生させる再生順と、を対応づけて再生リストにさらに記録してもよい。また、再生リスト管理部１１０２は、当該メタ情報に対応するコンテンツを再生させる再生順が再生リストに記録された再生順の最後になるように、当該メタ情報を再生リストに記録してもよい。次に、記憶情報操作部１１０６は、更新された再生リストを記憶部１１０４に記憶させる（Ｓ１１７）。
【００８３】
続いて、再生リスト送信部１１０８は、更新された再生リストを、通信部１１００を介して全ての第２の通信端末１２０へ送信する（Ｓ１１８）。なお、Ｓ１１５〜Ｓ１１８の動作は複数回繰り返されてもよい。
【００８４】
続いて、再生制御部１１１０は、再生リストに記録された再生順に従って、再生リストに記録されたメタ情報に対応するコンテンツの再生指示を、各コンテンツを記憶している第２の通信端末１２０に、通信部１１００を介して送信する（Ｓ１１９）。
【００８５】
第２の通信端末１２０が当該再生指示を受信すると、第２の通信端末１２０の通信部１２００は、記憶部１２０２に記憶されている当該コンテンツを、例えばストリーミング形式により再生装置１３０へ送信する。そして、再生装置１３０は、受信されたコンテンツを再生する（Ｓ１２０）。
【００８６】
‐第１の通信端末１１０に記憶されているメタ情報を再生リストに更新する動作‐
図１０は、Ｓ１１２より後の動作を説明するための第２のシーケンス図である。この図１０では、第１の通信端末１１０が、第１の通信端末１１０に記憶されているコンテンツのメタ情報を再生リストに記録する動作を示している。
【００８７】
図１０に示したように、Ｓ１１２の直後では、図９におけるＳ１１３〜Ｓ１１４と同様に、第１の通信端末１１０および第２の通信端末１２０は、当該アプリケーションにより、再生リスト画面を表示する（Ｓ１１３、Ｓ１１４）。
【００８８】
続いて、第１の通信端末１１０の利用者は、記憶部１１０４に記憶されているコンテンツの中から再生装置１３０に再生させることを希望するコンテンツを、入力部１１１４に対する操作により選択する（Ｓ１２１）。
【００８９】
続いて、再生リスト管理部１１０２は、選択されたコンテンツに対応するメタ情報と、第１の通信端末１１０の利用者のアカウントと、を対応づけて再生リストに記録する。また、再生リスト管理部１１０２は、当該メタ情報と、当該メタ情報に対応するコンテンツを再生させる再生順と、を対応づけて再生リストにさらに記録してもよい。また、再生リスト管理部１１０２は、当該メタ情報に対応するコンテンツを再生させる再生順が再生リストに記録された再生順の最後になるように、当該メタ情報を再生リストに記録してもよい。続いて、記憶情報操作部１１０６は、更新された再生リストを記憶部１１０４に記憶させる（Ｓ１２２）。
【００９０】
続いて、再生リスト送信部１１０８は、更新された再生リストを、通信部１１００を介して全ての第２の通信端末１２０へ送信する（Ｓ１２３）。なお、Ｓ１２１〜Ｓ１２３の動作は複数回繰り返されてもよい。
【００９１】
続いて、再生制御部１１１０は、再生リストに記録された再生順に従って、再生リストに記録されたメタ情報に対応する、記憶部１１０４に記憶されているコンテンツを、例えばストリーミング形式により通信部１１００を介して再生装置１３０へ送信する。そして、再生装置１３０は、受信されたコンテンツを再生する（Ｓ１２４）。
【００９２】
以上、図９および図１０を参照してＳ１１２より後の動作について説明したが、上述した動作に限定されない。例えば、図９におけるＳ１１５〜Ｓ１１７の動作と、図１０におけるＳ１２１〜Ｓ１２３の動作とは、組み合わされてもよいし、並列に処理されてもよい。
【００９３】
（１−１−４−２．再生コンテンツの切り替えの動作）
‐第２の通信端末１２０ａからの要求により再生コンテンツを切り替える動作‐
次に、第１の実施形態による再生コンテンツの切り替えの動作について説明する。図１１は、第１の実施形態による再生コンテンツの切り替えの動作を示す第１のシーケンス図である。
【００９４】
なお、この図１１では、第２の通信端末１２０ａが、第２の通信端末１２０ａに記憶されているコンテンツから、第２の通信端末１２０ｂに記憶されているコンテンツへ再生を変更させる動作を示している。また、図１１では、再生装置１３０は、第２の通信端末１２０ａから、例えばストリーミング形式により送信されるコンテンツを再生途中である状況（Ｓ１３１）を前提とする。
【００９５】
図１１に示したように、再生装置１３０による或るコンテンツの再生中において、第２の通信端末１２０ａの利用者は、再生リスト画面に表示されている、再生中以外のコンテンツの中から再生装置１３０に再生させることを希望するコンテンツを、入力部１２０６に対する操作により選択する（Ｓ１３２）。なお、ここでは説明の便宜上、Ｓ１３２において選択されたコンテンツは、第２の通信端末１２０ｂに記憶されていることとする。
【００９６】
続いて、通信部１２００は、Ｓ１３２において選択されたコンテンツのメタ情報と、当該コンテンツへ再生を変更させるための再生変更要求と、を第１の通信端末１１０へ送信する（Ｓ１３３）。
【００９７】
続いて、再生リスト管理部１１０２は、第２の通信端末１２０ａから受信された再生変更要求に基づいて、受信されたメタ情報に対応するコンテンツを再生させる再生順が最初になるように再生リストを更新する。なお、再生リスト管理部１１０２は、現在再生されているコンテンツの再生順については、例えば最後にするか、２番目にするなど所定の規則に沿って変更する。続いて、記憶情報操作部１１０６は、更新された再生リストを記憶部１１０４に記憶させる（Ｓ１３４）。
【００９８】
続いて、再生リスト送信部１１０８は、更新された再生リストを通信部１１００を介して、例えば第２の通信端末１２０ａおよび第２の通信端末１２０ｂなどの、全ての第２の通信端末１２０へ送信する（Ｓ１３５）。
【００９９】
続いて、再生制御部１１１０は、現在再生されているコンテンツを記憶している第２の通信端末１２０（図１１では、第２の通信端末１２０ａ）に対して、再生装置１３０に対するコンテンツの送信を停止させるように、通信部１１００を介して指示を送る。そして、第２の通信端末１２０ａが当該指示を受信すると、第２の通信端末１２０ａの通信部１２００は、再生されているコンテンツの送信を停止する（Ｓ１３６）
【０１００】
続いて、再生制御部１１１０は、更新された再生リストに基づいて、再生順が１番目に変更されたコンテンツの再生指示を、当該コンテンツを記憶している第２の通信端末１２０ｂに、通信部１１００を介して送信する（Ｓ１３７）。
【０１０１】
第２の通信端末１２０ｂが当該再生指示を受信すると、図９におけるＳ１２０と同様にして、第２の通信端末１２０ｂの通信部１２００は、第２の通信端末１２０ｂの記憶部１２０２に記憶されている当該コンテンツを例えばストリーミング形式により再生装置１３０へ送信する。そして、再生装置１３０は、受信されたコンテンツを再生する（Ｓ１３８）。
【０１０２】
‐第１の通信端末１１０からの要求により再生コンテンツを切り替える動作‐
図１２は、第１の実施形態による再生コンテンツの切り替えの動作を示す第２のシーケンス図である。なお、この図１２では、第１の通信端末１１０が、第２の通信端末１２０ａに記憶されているコンテンツから、第２の通信端末１２０ｂに記憶されているコンテンツへ再生を変更させる動作を示している。また、図１２では、図１１と同様に、再生装置１３０は、第２の通信端末１２０ａから送信されるコンテンツを再生途中である状況（Ｓ１３１）を前提とする。
【０１０３】
図１２に示したように、再生装置１３０による或るコンテンツの再生中において、第１の通信端末１１０の利用者は、再生リスト画面に表示されている、再生中以外のコンテンツの中から再生装置１３０に再生させることを希望するコンテンツを、入力部１１１４に対する操作により選択する（Ｓ１４２）。なお、ここでは説明の便宜上、Ｓ１４２において選択されたコンテンツは、第２の通信端末１２０ｂに記憶されていることとする。
【０１０４】
続いて、再生リスト管理部１１０２は、Ｓ１４２において指定されたコンテンツを再生させる再生順が最初になるように再生リストを更新する。続いて、記憶情報操作部１１０６は、更新された再生リストを記憶部１１０４に記憶させる（Ｓ１４３）。
【０１０５】
なお、その後の動作（Ｓ１４４〜Ｓ１４７）については、図１１に示したＳ１３５〜Ｓ１３８と同様である。従って、ここでは説明を省略する。
【０１０６】
以上、図１１および図１２を参照して、再生コンテンツの切り替えの動作について説明したが、上述した動作に限定されない。例えば、図１１におけるＳ１３２〜Ｓ１３４の動作と、図１２におけるＳ１４２〜Ｓ１４４の動作とは、並列に処理されてもよい。
【０１０７】
（１−１−５．第１の実施形態による効果）
以上説明したように、第１の実施形態によれば、第１の通信端末１１０は、第２の通信端末１２０から、第２の通信端末１２０に記憶されたコンテンツに対応づけられたメタ情報を取得する。そして、第１の通信端末１１０は、第２の通信端末１２０との間で共有され、第２の通信端末１２０から取得されたメタ情報に対応するコンテンツを再生させるための再生リストを管理する。このため、第１の通信端末１１０は、第２の通信端末１２０からの要求を受けて当該再生リストを更新することにより、再生させるコンテンツの種類および再生タイミングを適宜制御することができる。従って、第１の通信端末１１０は、第１の通信端末１１０および（１以上の）第２の通信端末１２０による共同活動を支援することができる。
【０１０８】
例えば、パーティ会場などにおいて、集合した参加者のうちいずれの参加者であっても、自己が所持する第２の通信端末１２０に記憶されたコンテンツに対応するメタ情報を、その場で再生リストに追加することにより、当該コンテンツを再生装置１３０に再生させることができる。また、いずれの参加者であっても、自己が所持する第２の通信端末１２０により、再生リストの中から、再生の変更を希望するコンテンツを選択することにより、再生装置１３０に再生させるコンテンツを任意のタイミングで切り替えることができる。このように、参加者全員で再生コンテンツの選択や切り替えを共同で行うことが可能であり、コンテンツの再生を一緒に楽しむことができる。
【０１０９】
また、第１の通信端末１１０は、再生リストが更新された場合には、更新された再生リストを全ての第２の通信端末１２０に送信する。このため、第２の通信端末１２０の各利用者は常に最新の再生リストを取得することができるので、第２の通信端末１２０の利用者同士でコンテンツの再生や切り替えの動作をリアルタイムで共有し、楽しむことができる。
【０１１０】
また、第１の通信端末１１０と第２の通信端末１２０との間、および第２の通信端末１２０同士で共有するのは、メタ情報が記録された再生リストのみであり、コンテンツ自体は通信端末間で共有されない。このため、コンテンツの著作権を保護することが可能である。
【０１１１】
また、第１の通信端末１１０または第２の通信端末１２０によりイベント中に撮影された撮影画像と、再生リストに記録された、音楽のメタ情報と、当該音楽の再生順と、を組み合わせることにより、第１の通信端末１１０の利用者は様々な動画の作成に応用することができる。例えば、第１の通信端末１１０の利用者は、イベントの様子が記録された動画や、ＢＧＭが付加されたスライドショーなどを、第２の通信端末１２０の利用者と共同して作成することができる。
【０１１２】
また、第１の通信端末１１０および第２の通信端末１２０には、特殊な機能は不要であり、例えばスマートフォンなどの、一般の利用者が入手可能な装置を用いることができる。このため、高価な装置を用いることなく、当該通信システムを安価な構成により実現することができるという利点がある。
【０１１３】
［１−２．第１の実施形態の第１の変形例］
次に、第１の実施形態の第１の変形例について説明する。この第１の変形例によれば、例えば開催されたイベントの終了後に、当該イベントの状況や当該イベントで再生されたコンテンツに関する情報を当該イベントの参加者が振り返ることが可能である。
【０１１４】
（１−２−１．通信システムの基本構成）
以下では、まず、第１の変形例による通信システムの基本構成について図１３を参照して説明する。図１３に示したように、第１の変形例による通信システムは、第１の実施形態と比較して、新たに再生情報データベース１６０、および表示装置１７０を含む。
【０１１５】
‐再生情報データベース１６０‐
再生情報データベース１６０は、第１の通信端末１１０から送信される再生リストや画像ファイル、または第２の通信端末１２０から送信される画像ファイルなどを記憶するための記憶装置である。再生情報データベース１６０には、例えば、図１５に示した再生リストテーブル１６２と、図１６に示した画像テーブル１６４とを含む。
【０１１６】
ここで、図１５を参照して、再生リストテーブル１６２の構成例について説明する。図１５に示したように、再生リストテーブル１６２には、例えば、メタ情報（コンテンツ名）列１６２０と、メタ情報（アーティスト名）列１６２２と、アカウント列１６２４と、再生日列１６２６と、再生時刻列１６２８と、が対応づけて記録される。ここで、アカウント列１６２４には、上述した第１の実施形態と同様に、当該コンテンツを再生リストに投稿した利用者のアカウントが記録される。また、再生日列１６２６には、当該コンテンツが再生された日付が記録される。また、再生時刻列１６２８には、当該コンテンツが再生された時刻が記録される。例えば、図１５の２行目に示したデータは、コンテンツ名が「楽曲１」であり、アーティスト名が「アーティストＡ」であり、当該コンテンツを投稿したアカウント名が「Ａｋｋｏ」であり、当該コンテンツが再生された日が「２０１２／１０／２６」であり、当該コンテンツが再生された時刻が「２０：０５」であることを示している。
【０１１７】
次に、図１６を参照して、画像テーブル１６４の構成例について説明する。図１６に示したように、画像テーブル１６４には、例えば、画像ファイル名列１６４０と、アカウント列１６４２と、メールアドレス列１６４４と、撮影日列１６４６と、撮影時刻列１６４８と、が対応づけて記録される。ここで、アカウント列１６４２には、当該画像ファイルを再生情報データベース１６０に送信した利用者のアカウントが記録される。また、メールアドレス列１６４４には、当該画像ファイルを再生情報データベース１６０に送信した利用者のメールアドレスが記録される。また、撮影日列１６４６には、当該画像ファイルが撮影された日付が記録される。また、撮影時刻列１６４８には、当該画像ファイルが撮影された時刻が記録される。例えば、図１６の２行目に示したデータは、画像ファイル名が「画像１」であり、当該画像ファイルを送信した利用者のアカウント名が「Ａｋｋｏ」であり、当該利用者のメールアドレスが「●●＠ｊｐ．ｃｏｍ」であり、当該画像ファイルが撮影された日が「２０１２／１０／２６」であり、当該画像ファイルが撮影された時刻が「２０：００」であることを示している。
【０１１８】
‐表示装置１７０‐
表示装置１７０は、通信網１１２に接続される装置から送信される表示画面を表示するための装置である。例えば、表示装置１７０は、後述する、再生情報データベース１６０から送信されるイベント振り返り画面を表示することができる。
【０１１９】
ここで、図１７を参照して、イベント振り返り画面の構成の一例（イベント振り返り画面１８０）について説明する。このイベント振り返り画面１８０は、例えばイベント会場において、イベントの参加者により静止画像または動画像が撮影された時間帯に、現場で再生されていたコンテンツに関する情報を一覧表示する。このため、イベントの参加者はイベント終了後にこのイベント振り返り画面１８０を参照することにより、イベントの最中において再生されたコンテンツに関する情報を想起しやすいという利点がある。
【０１２０】
図１７に示したように、例えば、イベント振り返り画面１８０は、画像の撮影時刻の表示欄１８００、画像の表示欄１８０２、コンテンツの再生時刻の表示欄１８０４、コンテンツの投稿者の顔画像表示欄１８０６、コンテンツのメタ情報表示欄１８０８、およびコンテンツのサムネイル１８１０を含む。ここで、画像の撮影時刻の表示欄１８００は、例えばイベント会場において、画像の表示欄１８０２に表示されている画像が撮影された時刻を表示する。
【０１２１】
以上、第１の変形例による通信システムの基本構成について説明したが、上述した構成に限定されない。例えば、再生装置１３０または表示装置１７０は含まれなくてもよい。
【０１２２】
（１−２−２．第１の変形例による構成）
（１−２−２−１．第１の通信端末１１０）
以上、第１の変形例による通信システムの基本構成について説明した。続いて、第１の変形例による構成について詳細に説明する。
【０１２３】
図１４は、第１の変形例による第１の通信端末１１０の構成を示した機能ブロック図である。図１４に示したように、第１の変形例による第１の通信端末１１０は、第１の実施形態と比較して、新たに再生情報データベース操作部１１１８を含む。
【０１２４】
再生情報データベース操作部１１１８は、撮影部１１１６により撮影された撮影画像と、当該撮影画像の撮影時刻と、第１の通信端末１１０の利用者の識別情報と、を再生情報データベース１６０に対して通信部１１００に送信させることにより、上記の３個の情報を対応づけて再生情報データベース１６０に記憶させる。なお、再生情報データベース操作部１１１８は、撮影部１１１６により撮影された撮影画像自体ではなく、当該撮影画像の所有者を示すような、当該撮影画像に対応するメタ情報を再生情報データベース１６０へ通信部１１００に送信させてもよい。
【０１２５】
また、第１の変形例による再生リスト管理部１１０２は、第１の実施形態が有する機能に加えて、さらに、例えば第２の通信端末１２０から受信されるメタ情報と、当該メタ情報に対応するコンテンツが再生された再生時刻と、を対応づけて再生リストに記録する機能を有する。なお、その他の構成要素の機能は、第１の実施形態と同様である。
【０１２６】
（１−２−２−２．第２の通信端末１２０）
第１の変形例による第２の通信端末１２０の構成は、第１の実施形態と同様である。従って、ここでは説明を省略する。
【０１２７】
（１−２−３．第１の変形例による動作）
続いて、第１の変形例による動作について説明する。図１８は、第１の変形例による動作を示すシーケンス図である。
【０１２８】
図１８に示したように、例えばイベント会場において、まず、第１の通信端末１１０の利用者の操作により、撮影部１１１６は外部の映像を静止画像または動画像として撮影する（Ｓ１５１）。同様に、第２の通信端末１２０の利用者の操作により、撮影部１２０８は外部の映像を静止画像または動画像として撮影する（Ｓ１５２）。
【０１２９】
続いて、再生情報データベース操作部１１１８は、撮影部１１１６により撮影された撮影画像と、当該撮影画像の撮影時刻と、第１の通信端末１１０の利用者の識別情報と、を再生情報データベース１６０に対して通信部１１００に送信させる（Ｓ１５３）。そして、再生情報データベース１６０は、第１の通信端末１１０から受信された、撮影画像と、当該撮影画像の撮影時刻と、アカウントと、を対応づけて記憶する（Ｓ１５４）。
【０１３０】
続いて、第１の通信端末１１０の通信部１１００は、記憶部１１０４に記憶されている再生リストを再生情報データベース１６０へ送信する（Ｓ１５５）。そして、再生情報データベース１６０は、第１の通信端末１１０から受信された再生リストを記憶する（Ｓ１５６）。
【０１３１】
続いて、第２の通信端末１２０の通信部１１００は、Ｓ１５２において撮影された撮影画像と、第２の通信端末１２０の利用者のアカウントと、を再生情報データベース１６０へ送信する（Ｓ１５７）。そして、再生情報データベース１６０は、第２の通信端末１２０から受信された、撮影画像と、当該撮影画像の撮影時刻と、アカウントと、を対応づけて記憶する（Ｓ１５８）。
【０１３２】
続いて、例えばイベントの終了後において、第１の通信端末１１０の利用者が当該イベントに関するイベント振り返り画面の閲覧を希望する場合には、第１の通信端末１１０の通信部１１００は、入力部１１１４に対して利用者により入力された、例えばイベントの日時などの当該イベントに関する情報を再生情報データベース１６０へ送信する（Ｓ１５９）。
【０１３３】
続いて、再生情報データベース１６０は、第１の通信端末１１０から受信された、イベントに関する情報に基づいた、例えば図１７に示したようなイベント振り返り画面を第１の通信端末１１０へ送信する（Ｓ１６０）。なお、Ｓ１６０の変形例として、再生情報データベース１６０は、第１の通信端末１１０から受信された、イベントに関する情報に基づいたイベント振り返り画面を表示装置１７０へ送信してもよい。
【０１３４】
続いて、第２の通信端末１２０の通信部１２００は、Ｓ１５９と同様に、入力部１２０６に対して利用者により入力された、例えばイベントの日時などの当該イベントに関する情報を再生情報データベース１６０へ送信する（Ｓ１６１）。
【０１３５】
続いて、再生情報データベース１６０は、Ｓ１６０と同様に、第２の通信端末１２０から受信された、イベントに関する情報に基づいたイベント振り返り画面を第２の通信端末１２０へ送信する（Ｓ１６２）。なお、Ｓ１６２の変形例として、再生情報データベース１６０は、第２の通信端末１２０から受信された、イベントに関する情報に基づいたイベント振り返り画面を表示装置１７０へ送信してもよい。
【０１３６】
以上、第１の変形例による動作について説明したが、上述した動作に限定されない。例えば、Ｓ１５３〜Ｓ１５８の動作は、連続的に処理される代わりに、並列に処理されてもよい。また、Ｓ１５９〜Ｓ１６２の動作に関しても、並列に処理されてもよい。
【０１３７】
また、Ｓ１５３およびＳ１５７において、第１の通信端末１１０および第２の通信端末１２０は、撮影画像自体を再生情報データベース１６０へ送信する代わりに、例えば当該撮影画像の所有者を示すような、当該撮影画像に対応するメタ情報を再生情報データベース１６０へ送信してもよい。この変形例では、Ｓ１６０およびＳ１６２において、再生情報データベース１６０は、撮影画像自体の代わりに、当該撮影画像に対応するメタ情報を含むイベント振り返り画面を生成し、そして、当該イベント振り返り画面を第１の通信端末１１０または第２の通信端末１２０へ送信する。そして、第１の通信端末１１０および第２の通信端末１２０は、撮影画像自体の参照を希望する場合には、受信されたイベント振り返り画面に表示されたメタ情報に基づいて、当該撮影画像を所有する通信端末に対して参照の許可を要求する。この変形例によれば、再生情報データベース１６０には撮影画像自体は保存されないので、第１の通信端末１１０および第２の通信端末１２０は、他の通信端末により撮影または記憶された撮影画像を直接参照することができない。このため、撮影画像の著作権を十分保護することができる。
また、
【０１３８】
（１−２−４．第１の変形例による効果）
以上説明したように、第１の変形例によれば、第１の通信端末１１０は、例えば第２の通信端末１２０から受信されるメタ情報と、当該メタ情報に対応するコンテンツが再生された再生時刻と、を対応づけて再生リストに記録する。そして、第１の通信端末１１０は、撮影画像と、当該撮影画像の撮影時刻と、利用者の識別情報と、を対応づけて再生情報データベース１６０に記憶させ、かつ、再生リストを再生情報データベース１６０に記憶させる。このため、第１の通信端末１１０または第２の通信端末１２０の利用者は、例えばイベント振り返り画面のような、撮影画像と、当該撮影画像の撮影時刻と、コンテンツの再生時刻と、当該コンテンツのメタ情報と、を含む情報を再生情報データベース１６０から取得することができる。従って、当該利用者は、例えば自己が参加したイベントの終了後において、イベント振り返り画面のような情報を参照することにより、当該イベントの最中において再生されたコンテンツに関する情報を想起しやすいという利点がある。
【０１３９】
例えば、第１の通信端末１１０または第２の通信端末１２０の利用者は、イベントの終了後において、「あの写真が表示されていたときに流れていた音楽の曲名を思い出したい」または「当該音楽を再び聴きたい」といったニーズを満たすことができる。
【０１４０】
［１−３．第１の実施形態の第２の変形例］
次に、第１の実施形態の第２の変形例について説明する。この第２の変形例によれば、例えばイベント会場において再生されたコンテンツを、当該イベントの最中またはイベントの終了後に、イベントの参加者が購入または視聴することができる。
【０１４１】
（１−３−１．通信システムの基本構成）
以下では、まず、第２の変形例による通信システムの基本構成について図１９を参照して説明する。図１９に示したように、第２の変形例による通信システムは、第１の実施形態と比較して、新たに音楽販売サービス１９０（コンテンツ提供サーバ）を含む。
【０１４２】
‐音楽販売サービス１９０‐
音楽販売サービス１９０は、通信網１１２に接続される装置に対して、例えば音楽などのコンテンツを販売するための情報処理装置である。この音楽販売サービス１９０には、複数のコンテンツと、各コンテンツに関する情報と、各コンテンツの価格と、が対応づけて記録されている。
【０１４３】
ここで、図２１を参照して、音楽販売サービス１９０に登録されるデータの一例について説明する。図２１に示したように、音楽販売サービス１９０には、例えば、メタ情報（コンテンツ名）１９００と、メタ情報（アーティスト名）１９０２と、価格１９０４と、が対応づけて記録される。例えば、図２１の２行目に示したデータは、コンテンツ名が「楽曲１」であり、アーティスト名が「アーティストＡ」であり、当該コンテンツの価格が「５００円」であることを示している。
【０１４４】
以上、第２の変形例による通信システムの基本構成について説明したが、上述した構成に限定されない。例えば、第１の変形例による再生情報データベース１６０をさらに含んでもよい。
【０１４５】
（１−３−２．第２の変形例による構成）
（１−３−２−１．第１の通信端末１１０）
以上、第２の変形例による通信システムの基本構成について説明した。続いて、第２の変形例による構成について詳細に説明する。
【０１４６】
図２０は、第２の変形例による第１の通信端末１１０の構成を示した機能ブロック図である。図２０に示したように、第２の変形例による第１の通信端末１１０は、第１の実施形態と比較して、新たにコンテンツ要求部１１２０を含む。なお、その他の構成要素の機能は、第１の実施形態と同様である。
【０１４７】
コンテンツ要求部１１２０は、再生リストに記録された任意のメタ情報に対応するコンテンツの提供を音楽販売サービス１９０に要求する。
【０１４８】
（１−３−２−２．第２の通信端末１２０）
第２の変形例による第２の通信端末１２０の構成は、第１の実施形態と概略同様である。ただし、かかる構成に限定されず、例えば、第１の通信端末１１０によるコンテンツ要求部１１２０と同様の機能をさらに有してもよい。
【０１４９】
（１−３−３．第２の変形例による動作）
続いて、第２の変形例による動作について説明する。図２２は、第２の変形例による動作を示すシーケンス図である。
【０１５０】
図２２に示したように、例えばイベント会場において、まず、第１の通信端末１１０の利用者は、入力部１１１４に対する操作により、再生リスト表示画面に表示されたコンテンツの中から購入または視聴を希望するコンテンツを選択する（Ｓ１７１）。そして、コンテンツ要求部１１２０は、利用者により選択されたコンテンツに対応するメタ情報を再生リストから取得し、当該メタ情報を通信部１１００を介して音楽販売サービス１９０へ送信する（Ｓ１７２）。
【０１５１】
続いて、音楽販売サービス１９０は、第１の通信端末１１０から受信されたメタ情報に対応するコンテンツが自サービスに登録されているか否かを検索する（Ｓ１７３）。そして、音楽販売サービス１９０は、当該検索の結果を第１の通信端末１１０へ送信する（Ｓ１７４）。
【０１５２】
当該コンテンツが音楽販売サービス１９０に登録されており、かつ、第１の通信端末１１０の利用者が当該コンテンツの購入または視聴を希望する場合には、第１の通信端末１１０の利用者は、例えば音楽販売サービス１９０に対して対価を支払うための決済情報を入力部１１１４に対して入力する。そして、通信部１１００は、入力された決済情報を音楽販売サービス１９０へ送信する（Ｓ１７５）。
【０１５３】
続いて、音楽販売サービス１９０は、第１の通信端末１１０から受信された決済情報に基づいて、第１の通信端末１１０との間で当該コンテンツの販売などに関する所定の決済処理を行う。そして、決済処理が正常に完了した場合には、音楽販売サービス１９０は、当該コンテンツを第１の通信端末１１０へ送信する（Ｓ１７６）。
【０１５４】
以上、第２の変形例による動作について説明したが、上述した動作に限定されない。例えば、第１の通信端末１１０の代わりに、第２の通信端末１２０と音楽販売サービス１９０との間で同様な動作がなされることにより、第２の通信端末１２０によるコンテンツの購入または視聴が行われてもよい。
【０１５５】
（１−３−４．第２の変形例による効果）
以上説明したように、第２の変形例によれば、第１の通信端末１１０は、再生リストに記録されたメタ情報に対応するコンテンツの購入または視聴を音楽販売サービス１９０に要求し、音楽販売サービス１９０との間で決済を行うことができる。このため、第１の通信端末１１０の利用者は、例えばイベント会場において、第２の通信端末１２０のいずれかに再生リストに追加されたコンテンツの購入または視聴を希望する場合には、当該イベントの最中またはイベントの終了後に、当該コンテンツの購入または視聴をすることができる。
【０１５６】
＜２．第２の実施形態の詳細な説明＞
以上、第１の実施形態について説明した。次に第２の実施形態について説明する。まず、第２の実施形態が解決しようとする課題について説明する。従来、イベント等で複数の参加者により撮影された撮影画像を、クラウトサービス等で一か所に集めることにより、フォトアルバムやスライドショーなどを作成し、提供する技術が開発されている。しかし、上記の技術では以下の（Ａ）〜（Ｄ）の機能を実現することができないという事情がある。
（Ａ）イベントの参加者が撮影された複数の撮影画像から、イベントの参加者が偏りなく含まれているような画像群を選出すること。
（Ｂ）イベントの雰囲気を効果的に伝えるための例えばフォトアルバムを作成すること。例えばイベントの参加者数を表示したり、イベントの照明などの状況を反映して表示を行うこと。
（Ｃ）イベントが開催された会場や店舗などの施設の情報を、例えばフォトアルバムと一緒に提供すること。
（Ｄ）イベントが開催された店舗の利益につながるような機能を提供したり、撮影画像を投稿した参加者に対して何らかの特典を与えること。
【０１５７】
また、特開２０１２−１３３７３５号公報および特開２０１２−０６４１５１号公報に記載された技術では、複数の撮影画像から一部の画像を選出することが望まれる場合に、有用な支援を行うことができないという事情がある。例えば、イベント会場などの多数の人が集まる場において複数の撮影画像が撮影された場合には、当該複数の撮影画像からイベントの参加者が偏りなく含まれているような画像群を選出することが望まれるが、上記の技術では実現することができない。また、イベントの主催者などの特定の人物が含まれている画像群を自動的に選出することもできない。
【０１５８】
そこで、上記事情を一着眼点にして第２の実施形態による画像処理装置２１０を創作するに至った。第２の実施形態による画像処理装置２１０は、複数の撮影画像から一部の画像を選出することが望まれる場合に、有用な支援を行うことができる。
【０１５９】
このような第２の実施形態による画像処理装置２１０は、
Ａ．複数の撮影画像の各々に含まれる人物を認識する人物認識部２１０４と、
Ｂ．前記複数の撮影画像から抽出される１以上の撮影画像群を、前記人物認識部２１０４により認識される各対象人物の出現度に基づいて評価する画像評価部２１０６と、
Ｃ．前記画像評価部２１０６による前記評価の結果が最も高い撮影画像群を選択する画像選択部２１０８と、
を備える。
【０１６０】
［２−１．画像処理システムの基本構成］
以下では、まず、このような第２の実施形態による画像処理システムの基本構成について図２３を参照して説明する。図２３に示したように、第２の実施形態による画像処理システムは、通信端末２００、通信網１１２、および画像処理装置２１０を含む。なお、通信網１１２は、第１の実施形態と同様である。
【０１６１】
‐通信端末２００‐
通信端末２００は、通信網１１２に接続可能な装置である。通信端末２００は、例えば、スマートフォンなどの携帯電話、タブレット端末、ＰＤＡ、デジタルスチルカメラ、デジタルビデオカメラ、ゲーム機などであってもよい。また、通信端末２００は、第１の実施形態による第１の通信端末１１０と同様のハードウェア構成を有してもよい。
【０１６２】
‐画像処理装置２１０‐
画像処理装置２１０は、例えば通信端末２００などの、通信網１１２に接続された装置から受信される撮影画像に基づいて画像処理を行うための装置である。画像処理装置２１０は、第１の実施形態による第１の通信端末１１０と同様のハードウェア構成を有してもよいし、例えば入力装置１１６０または撮影装置１１６６は含まないなどの相違点を有してもよい。
【０１６３】
以上、第２の実施形態による画像処理システムの基本構成について説明したが、上述した構成に限定されない。例えば第１の実施形態の第１の変形例による再生情報データベース１６０または表示装置１７０がさらに含まれてもよい。
【０１６４】
［２−２．第２の実施形態の概要］
続いて、上述した画像処理システムから構成される第２の実施形態の概要について、図２４を参照して説明する。ここでは一例として、通信端末２００を所持する利用者がパーティなどのイベントに参加し、そして、当該イベントの終了後に、例えば当該イベントに誰が参加者していたかなど当該イベントの状況を振り返ることを希望する例について説明する。
【０１６５】
図２４は、画像処理装置２１０により、例えば通信端末２００から受信される複数の撮影画像から生成される集合画像の構成の一例（イベントサマリー画面２２０）である。図２４に示したように、このイベントサマリー画面２２０は、例えば、集合画像の表示欄２２００、イベント情報表示欄２２０２、イベント施設の位置表示欄２２０４、およびイベント施設の撮影画像表示欄２２０６を含む。
【０１６６】
ここで、集合画像の表示欄２２００には、当該イベント時に撮影された複数の撮影画像の各々から認識される人物の出現度に基づいて抽出される、撮影画像の集合（以下、撮影画像群と称する）が表示される。ここで、出現度は、例えば、或る撮影画像群のうちで対象人物を含む撮影画像の数に応じた値であってもよいし、撮影画像ごとの各撮影画像における前記対象人物の目立ち度合いに応じた値であってもよい。
【０１６７】
例えば、図２４は、対象人物ごとの出現度が最も均等であるような撮影画像群、つまり、複数の撮影画像から認識される人物が最も偏りなく含まれているような撮影画像群（撮影画像２２００ａ〜撮影画像２２００ｅにより構成される撮影画像群）が選択された例を示している。
【０１６８】
また、イベント情報表示欄２２０２には、図２４に示したように、例えば当該イベントの開催日と、当該複数の撮影画像から認識される人物の数と、を一緒に表示する。なお、イベント情報表示欄２２０２には、当該複数の撮影画像から認識される人物の数の代わりに、例えば当該イベントの主催者により提供される当該イベントに関するＷｅｂページにアクセスした人数や、当該イベントに関する情報を提供するためのメールアドレスに対してメールを送信した人数などを表示してもよい。
【０１６９】
また、イベント施設の位置表示欄２２０４には、例えば当該イベントが開催された施設の位置を示す地図など、当該施設の位置情報を表示する。また、イベント施設の撮影画像表示欄２２０６には、例えば当該イベントが開催された店舗などの施設の運営者により提供される、撮影画像２２０６ａ〜撮影画像２２０６ｃのような、当該施設の撮影画像を表示する。なお、当該施設の撮影画像は、イベントの開催前に、当該施設の運営者によりイベントの主催者に対して提供されてもよい。これにより、イベントの主催者は、イベントの参加予定者に対して当該施設の撮影画像をイベントの開催前に提供することができるので、イベントへの参加を誘引することができる。
【０１７０】
上述したように、第２の実施形態によれば、画像処理装置２１０は、複数の撮影画像の各々に含まれる人物を認識し、複数の撮影画像から抽出される１以上の撮影画像群を、認識される各対象人物の出現度に基づいて評価する。そして、画像処理装置２１０は、当該評価の結果が最も高い撮影画像群を選択して、集合画像を生成する。このため、画像処理装置２１０は、複数の撮影画像から一部の画像を選出することが望まれる場合に、有用な支援を行うことができる。例えば、画像処理装置２１０は、イベント時に撮影された複数の撮影画像から、認識される人物が最も偏りなく含まれているような撮影画像群を選択することができる。
【０１７１】
［２−３．第２の実施形態による構成］
（２−３−１．画像処理装置２１０）
以上、第２の実施形態の概要について説明した。続いて、第２の実施形態による構成について詳細に説明する。
【０１７２】
図２５は、第２の実施形態による画像処理装置２１０の構成を示した機能ブロック図である。図２５に示したように、第２の実施形態による画像処理装置２１０は、通信部２１００、記憶部２１０２、人物認識部２１０４、画像評価部２１０６、画像選択部２１０８、集合画像生成部２１１０、色相解析部２１１２、サービス情報決定部２１１４、およびアクセス管理部２１１６を含む。
【０１７３】
通信部２１００は、通信網１１２を介して通信端末２００との間で各種情報を送受信する。例えば、通信部２１００は、通信端末２００から撮影画像を受信したり、後述するサービス情報決定部２１１４により決定されたサービス情報を、撮影画像を投稿した人物により所持される通信端末２００に送信したりする。
【０１７４】
記憶部２１０２は、例えば通信端末２００から受信される撮影画像や、例えば画像処理装置２１０の動作を制御するためのソフトウェアなどの各種ソフトウェアを記憶する。
【０１７５】
人物認識部２１０４は、例えば記憶部２１０２に記憶されている複数の撮影画像の各々に含まれる人物を、例えば顔認識技術により認識する。ここで、撮影画像は、静止画であってもよいし、動画であってもよい。
【０１７６】
画像評価部２１０６は、例えば記憶部２１０２に記憶されている複数の撮影画像から抽出される１以上の撮影画像群を、人物認識部２１０４により認識される各対象人物の出現度に基づいて評価する。ここで、各対象人物は、例えば、当該複数の撮影画像の少なくともいずれかに含まれる人物である。
【０１７７】
また、画像評価部２１０６は、対象人物ごとの出現度がより均等である撮影画像群をより高く評価してもよい。また、画像評価部２１０６は、特定の対象人物の出現度が突出する目標分布に近い撮影画像群をより高く評価してもよい。なお、特定の対象人物は、例えばイベントの主催者、著名人、結婚式における新郎新婦、誕生日会の主役、コンサートにおける演奏者、スポーツ大会における競技者などである。
【０１７８】
ここで、図２６〜図２８を参照して、画像評価部２１０６による画像の評価方法の一例について説明する。画像評価部２１０６は、まず、（１）対象人物ごとに、例えば記憶部２１０２に記憶されている各撮影画像に関して出現度を算出する。
【０１７９】
図２６は、画像評価部２１０６により算出された出現度を一覧表示した例（出現度テーブル２３０）である。図２６に示したように、例えば、出現度テーブル２３０では、対象人物名列２３００と、画像ファイル名列２３０２と、目立ち度合い列２３０４と、が対応づけて記録される。ここで、対象人物名列２３００には、例えば各対象人物のアカウント名、または対象人物の名前など、対象人物の識別情報が記録される。画像ファイル名列２３０２には、対象人物名列２３００に記録されている対象人物が撮影されている画像ファイルの名称が記録される。また、目立ち度合い列２３０４には、対象人物名列２３００に記録されている対象人物が、画像ファイル名列２３０２に記録されている画像ファイルにおいて目立っている度合いの算出値が記録される。ここで、目立ち度合いは、例えば撮影画像における対象人物の画素領域の大きさであってもよいし、対象人物の笑顔などの表情の度合いであってもよい。
【０１８０】
例えば、図２６の２行目に示したデータは、対象人物名が「Ａ」であり、画像ファイル名が「画像１」であり、当該画像ファイル（「画像１」）において、対象人物「Ａ」の目立ち度合いが「１．０」と算出されたことを示している。
【０１８１】
また、図２７は、撮影画像２４０ごとに、対象人物２４００と、各撮影画像における対象人物の目立ち度合い２４０２と、対応づけて示した説明図である。例えば、図２７では、「画像１」２４０ａには、対象人物として「Ａ」と「Ｂ」とが含まれており、そして、対象人物「Ａ」に関する「画像１」２４０ａにおける目立ち度合いが「１．０」であり、対象人物「Ｂ」に関する「画像１」２４０ａにおける目立ち度合いが「１．２」であることを示している。
【０１８２】
画像評価部２１０６は、次に、（２）複数の撮影画像から抽出される１以上の撮影画像群を、上述した方法により算出された各対象人物の出現度に基づいて評価する。図２８は、図２７に示した３枚の画像から抽出される撮影画像群に関する、画像評価部２１０６による評価について説明するための説明図である。
【０１８３】
図２８における画像群列２５００は、各撮影画像群に含まれる撮影画像の組を示している。なお、図２８では、各撮影画像群は、２枚以上の撮影画像を含むことを前提とする例について示している。
【０１８４】
また、図２８における出現度列２５０２は、画像群列２５００に示した撮影画像群における各対象人物の出現度を示している。なお、図２８では、各撮影画像群における各対象人物の出現度は、対象人物ごとに、当該撮影画像群に含まれる撮影画像において算出された目立ち度合いを合計した値とする例について示している。
【０１８５】
また、出現度の分散列２５０４には、撮影画像群ごとに、各対象人物の出現度から算出される、出現度の分散値を示している。この出現度の分散列２５０４は、撮影画像群ごとの、出現度列２５０２に示した各対象人物の出現度のばらつき度合いを示している。
【０１８６】
例えば、図２８の２行目に示したデータは、「画像１」、「画像２」、および「画像３」を含む撮影画像群であり、対象人物「Ａ」の出現度が「２．０」、対象人物「Ｂ」の出現度が「１．８」、対象人物「Ｃ」の出現度が「１．０」、対象人物「Ｄ」の出現度が「３．０」とそれぞれ算出され、そして、出現度の分散値が「０．５１」と算出されたことを示している。
【０１８７】
図２８に示した例において、画像評価部２１０６は、例えば、対象人物ごとの出現度がより均等である撮影画像群をより高く評価する。つまり、画像評価部２１０６は、出現度の分散列２５０４が最も小さい撮影画像群、すなわち図２８の４行目に示した撮影画像群（画像１、画像３）を最も高く評価する。
【０１８８】
また、画像評価部２１０６は、特定の対象人物の出現度が突出する目標分布に近い撮影画像群をより高く評価してもよい。例えば、図２８において特定の対象人物が「Ｄ」である場合には、画像評価部２１０６は、例えば図２８の２行目に示した撮影画像群（画像１、画像２、画像３）のように、「Ｄ」の出現度が相対的に高く、かつ、出現度の分散列２５０４が相対的に小さい撮影画像群を最も高く評価してもよい。
【０１８９】
次に、図２５を再度参照して、引き続き画像処理装置２１０の構成について説明する。画像選択部２１０８は、上述した画像評価部２１０６による評価の後で、当該評価の結果が最も高い撮影画像群を選択する。
【０１９０】
集合画像生成部２１１０は、画像選択部２１０８により選択された撮影画像群に含まれる撮影画像を組み合わせて配置することにより、例えば図２４に示したイベントサマリー画面２２０のような、集合画像を生成する。なお、集合画像は、静止画であってもよいし、例えばスライドショーなどの動画であってもよい。
【０１９１】
ここで、集合画像生成部２１１０は、より多くの対象人物が含まれている撮影画像を、当該集合画像においてより大きく表示してもよい。また、集合画像生成部２１１０は、上述した、特定の対象人物が含まれている撮影画像を、当該集合画像においてより大きく表示したり、例えば図２４における撮影画像２２００ｃのように当該集合画像において中央に表示してもよい。また、集合画像生成部２１１０は、より鮮明に撮影されている撮影画像を、当該集合画像においてより大きく表示したり、例えば中央など、目立つ領域に表示してもよい。
【０１９２】
また、集合画像生成部２１１０は、撮影画像があるイベントの参加者により撮影された画像である場合に、例えば図２４に示したイベント情報表示欄２２０２のように、当該イベントの参加者の数を示す表示を集合画像にさらに配置してもよい。ここで、集合画像生成部２１１０は、当該イベントの参加者の数の算出方法として、複数の撮影画像の少なくともいずれかに含まれる人物の数を合計することにより算出してもよいし、当該イベントに関するＷｅｂページなどの所定のＵＲＬにアクセスした人物の数を計数することにより算出してもよい。
【０１９３】
また、集合画像生成部２１１０は、撮影画像があるイベントの参加者により撮影された画像である場合に、例えば図２４に示したイベント施設の位置表示欄２２０４のように、当該イベントが行われた施設の位置を示す表示を集合画像にさらに配置してもよい。
【０１９４】
また、集合画像生成部２１１０は、撮影画像があるイベントの参加者により撮影された画像である場合に、例えば図２４に示したイベント施設の撮影画像表示欄２２０６のように、当該イベントが行われた施設の撮影画像を集合画像にさらに配置してもよい。ここで、集合画像生成部２１１０は、集合画像に配置する施設の撮影画像を、当該イベントが行われた時間帯に応じて選択してもよい。例えば、当該イベントが行われた時間帯が夜である場合には、集合画像生成部２１１０は、当該施設を夜間に撮影した撮影画像を選択する。
【０１９５】
また、集合画像生成部２１１０は、後述する、色相解析部２１１２による解析の結果に基づいて、例えば図２４に示したイベント情報表示欄２２０２の背景色など、集合画像のテーマカラーを選択してもよい。なお、上述した集合画像生成部２１１０の機能の詳細については後に説明する。
【０１９６】
色相解析部２１１２は、例えば記憶部２１０２に記憶されている複数の撮影画像の色相を解析する。なお、上述したように、色相解析部２１１２による解析の結果は、集合画像生成部２１１０により利用される。
【０１９７】
サービス情報決定部２１１４は、画像選択部２１０８により選択された撮影画像群に含まれる撮影画像を投稿した人物に対して提供するサービス情報を決定する。例えば、サービス情報決定部２１１４は、撮影画像を投稿した人物に対して、投稿された撮影画像の数に応じて、イベントの主催者やイベント会場の運営者により提供されるクーポンのポイント数や枚数、または特典の種類などを決定する。
【０１９８】
アクセス管理部２１１６は、あるイベントの参加者に対する、撮影画像のアップロード用のサーバのＵＲＬ情報および参加者判別情報を含むアクセス情報の提供を管理する。そして、当該サーバへアクセスした人物が用いたアクセス情報に基づいて当該サーバへアクセスした人物を認証する。ここで、撮影画像のアップロード用のサーバは、画像処理装置２１０自体であってもよいし、例えば再生情報データベース１６０などの他の装置であってもよい。
【０１９９】
なお、第２の実施形態によれば、画像処理装置２１０に内蔵されるＣＰＵ、ＲＯＭおよびＲＡＭなどのハードウェアを、上述した画像処理装置２１０の各構成と同等の機能を発揮させるためのコンピュータプログラムも提供可能である。また、該コンピュータプログラムを記憶させた記憶媒体も提供される。
【０２００】
以上、第２の実施形態による画像処理装置２１０の構成について説明したが、上述した構成に限定されない。例えば、通信部２１００、記憶部２１０２、集合画像生成部２１１０、色相解析部２１１２、サービス情報決定部２１１４、およびアクセス管理部２１１６のうちいずれか一つ以上は、他の装置に備えられてもよい。
【０２０１】
［２−４．第２の実施形態による動作］
以上、第２の実施形態による構成について説明した。続いて、第２の実施形態による動作について説明する。図２９は、第２の実施形態による動作を示すシーケンス図である。
【０２０２】
図２９に示したように、まず、通信端末２００の利用者は、画像処理装置２１０により提供される、撮影画像のアップロード用サイトにアクセスする（Ｓ２０１）。
【０２０３】
より具体的には、通信端末２００は、例えば、イベントの主催者やイベントが開催された施設の運営者などにより提供されるＷｅｂサイトのＵＲＬへアクセスし、当該Ｗｅｂサイトに表示されるＱＲコード（登録商標）を読み取り、そして、当該ＱＲコード（登録商標）に含まれるＵＲＬへアクセスすることにより、当該アップロード用サイトにアクセスしてもよい。また、通信端末２００は、上記の主催者などにより情報提供されるメールアドレスに対して空メールを送信し、当該空メールに対する返信メールに含まれるＱＲコード（登録商標）を読み取り、そして、当該ＱＲコード（登録商標）に含まれるＵＲＬへアクセスすることにより、当該アップロード用サイトにアクセスしてもよい。
【０２０４】
続いて、画像処理装置２１０のアクセス管理部２１１６は、通信端末２００による当該アップロード用サイトへのアクセス時に用いられるアクセス情報に基づいて、当該アップロード用サイトへアクセスした人物を認証する（Ｓ２０２）。ここで、当該アクセス情報は、例えば、上述したＱＲコード（登録商標）に含まれるユーザＩＤなどである。
【０２０５】
続いて、通信部２１００は、アクセス管理部２１１６による認証の結果を通信端末２００へ送信する（Ｓ２０３）。なお、アクセス管理部２１１６による認証が失敗した場合には、画像処理装置２１０は、Ｓ２０３の直後に通信端末２００との通信を中止し、Ｓ２０３より後の動作は実行されなくてもよい。
【０２０６】
続いて、画像処理装置２１０により認証された場合には、通信端末２００の利用者の操作により、通信端末２００は当該利用者の顔画像を撮影する（Ｓ２０４）。なお、この顔画像は、例えば、イベントサマリー画面２２０のような集合画像において、当該利用者により投稿された撮影画像に対してタグ形式などにより重畳表示されることにより、各撮影画像の投稿者を視覚的に表示するために使用されてもよい。また、Ｓ２０４の動作は省略されてもよい。
【０２０７】
続いて、通信端末２００は、Ｓ２０４により撮影された顔画像を当該アップロード用サイトへ送信する（Ｓ２０５）。
【０２０８】
続いて、通信端末２００は、例えばイベント時においてイベントの参加者を含む画像を撮影する（Ｓ２０６）。
【０２０９】
続いて、通信端末２００は、撮影された撮影画像と、当該アップロード用サイトを利用するためのアカウントと、を当該アップロード用サイトへ送信する。そして、画像処理装置２１０の記憶部２１０２は、当該アップロード用サイトに送信された撮影画像を記憶する（Ｓ２０７）。
【０２１０】
続いて、画像処理装置２１０の人物認識部２１０４は、記憶部２１０２に記憶された複数の撮影画像に含まれる人物を認識する（Ｓ２０８）。
【０２１１】
続いて、画像評価部２１０６は、上述したように、記憶部２１０２に記憶された複数の撮影画像から抽出される１以上の撮影画像群を、人物認識部２１０４により認識された各対象人物の出現度に基づいて評価する（Ｓ２０９）。
【０２１２】
続いて、画像選択部２１０８は、画像評価部２１０６による評価の結果が最も高い撮影画像群を選択する。そして、集合画像生成部２１１０は、画像選択部２１０８により選択された撮影画像群に含まれる撮影画像を組み合わせて配置することにより集合画像を生成する（Ｓ２１０）。
【０２１３】
続いて、通信部２１００は、生成された集合画像を通信端末２００へ送信する。そして、通信端末２００は、受信された集合画像を表示する（Ｓ２１１）。
【０２１４】
続いて、サービス情報決定部２１１４は、例えば通信端末２００からアップロード用サイトへ送信された撮影画像の数に応じて、通信端末２００の利用者に対して提供するサービス情報を決定する。そして、通信部２１００は、決定されたサービス情報を通信端末２００へ送信する（Ｓ２１２）。なお、Ｓ２１２の動作は省略されてもよい。
【０２１５】
以上、第２の実施形態による動作について説明したが、上述した動作に限定されない。例えば、当該通信システムが表示装置１７０を含む場合には、Ｓ２１１において、通信部２１００は集合画像を通信端末２００へ送信する代わりに、表示装置１７０へ送信してもよい。そして、表示装置１７０が当該集合画像を表示してもよい。
【０２１６】
この変形例によれば、表示装置１７０が当該集合画像を表示することにより、例えばイベントの参加者などの多数の人々が集合画像を一緒に鑑賞することができるので、イベント当時の状況を多数の人々の間で共有することができるという利点がある。また、画像処理装置２１０は、投稿された撮影画像をイベントの最中において表示装置１７０に表示させることにより、当該イベントの参加者に対してより多くの撮影画像を投稿するように誘引する効果が期待できる。
【０２１７】
［２−５．第２の実施形態による効果］
以上説明したように、第２の実施形態によれば、画像処理装置２１０は、複数の撮影画像の各々に含まれる人物を認識し、複数の撮影画像から抽出される１以上の撮影画像群を、例えば顔認識技術により認識される各対象人物の出現度に基づいて評価する。そして、画像処理装置２１０は、当該評価の結果が最も高い撮影画像群を選択する。このため、画像処理装置２１０は、複数の撮影画像から一部の画像を選出することが望まれる場合に、有用な支援を行うことができる。
【０２１８】
例えば、画像処理装置２１０は、パーティなどのイベント時に撮影された複数の撮影画像から、認識される人物が最も偏りなく含まれているような撮影画像群を選択し、集合画像を生成することができる。このため、イベントの参加者は、当該イベントの終了後に、画像処理装置２１０により生成される集合画像を参照することにより、当該イベントに誰が参加者していたかなど当該イベントの状況を振り返ることができる。
【０２１９】
また、画像処理装置２１０は、複数の撮影画像から、例えばイベントの主役など特定の対象人物の出現度がより高い撮影画像をより高く評価することができる。そして、画像処理装置２１０は、集合画像において、特定の対象人物が含まれる画像を例えば中央に表示するなど、強調して表示することができる。このため、イベントの参加者は、当該集合画像を参照することにより、当該イベントの状況をより明確に想起することができる。
【０２２０】
また、画像処理装置２１０は、集合画像において、複数の撮影画像の少なくともいずれかに含まれる人物の数、または例えば当該イベントに関するＷｅｂページなどのＵＲＬにアクセスした人物の数を示す表示を配置する。このため、集合画像の閲覧者は、イベントの終了後に、当該集合画像を参照することにより、イベントの盛況などの雰囲気を感じることができる。
【０２２１】
また、画像処理装置２１０は、例えばイベントが行われた施設の内装や外観などの撮影画像を集合画像に配置することができる。また、画像処理装置２１０は、例えばイベントの撮影画像が夜に撮影された場合には、当該施設が夜に撮影された撮影画像を選択するなど、撮影画像が撮影された時刻に応じて、イベントが行われた施設の撮影画像を選択して、集合画像に配置することができる。従って、集合画像は、全体で統一的にイベントの雰囲気を表現することができるので、集合画像の参照者は、当該集合画像を参照することにより、イベントの臨場感をより強く感じることができる。
【０２２２】
また、イベントが開催された店舗などの施設の運営者は、投稿された撮影画像を当該施設のＷｅｂページなどに使用することにより当該施設の雰囲気を明確に伝えることができるので、Ｗｅｂページなどの宣伝効果を高めることができ、当該施設の収益の向上も期待できる。
【０２２３】
また、画像処理装置２１０は、複数の撮影画像の色相を解析し、解析の結果に基づいて集合画像のテーマカラーを選択する。このため、集合画像の参照者は、当該集合画像を参照することにより、イベントの雰囲気をより明確に感じることができる。
【０２２４】
また、画像処理装置２１０は、例えば通信端末２００から投稿された撮影画像の数に応じて、通信端末２００の利用者に対して提供するサービス情報を決定し、当該サービス情報を通信端末２００へ送信する。このため、例えば投稿された撮影画像の数がより多い投稿者に対して、例えばクーポンのポイント数をより多く与えることができるので、イベントの参加者に対して多数の撮影画像を投稿するように誘引する効果が期待できる。
【０２２５】
＜３．第３の実施形態の詳細な説明＞
以上、第２の実施形態について説明した。次に第３の実施形態について説明する。まず、第３の実施形態が解決しようとする課題について説明する。従来、ＱＲコード（登録商標）を多数の人々に速く伝搬させることを目的として、例えばＱＲコード（登録商標）が印刷されたポスターなどを人目に付く場所に掲示する方法が採用されている。しかし、当該方法では、ポスターの印刷や掲示が負担となったり、ポスターからＱＲコード（登録商標）を読み取る作業は利用者にとって不便であるので、より簡便な方法が望まれている。
【０２２６】
また、特開２０１２−１３３７３５号公報および特開２０１２−０６４１５１号公報に記載された技術では、利用者と対応づけて情報の個々の伝達過程を明示することを支援することができないという事情がある。例えば、パーティ会場などの多数の参加者が集まる場において、どの参加者の間でどのような順序で情報が伝達されていったかという過程を把握することができない。
【０２２７】
そこで、上記事情を一着眼点にして第３の実施形態による通信端末３１０を創作するに至った。第３の実施形態による通信端末３１０は、利用者と対応づけて情報の個々の伝達過程を明示することを支援することができる。
【０２２８】
このような第３の実施形態による通信端末３１０は、
Ａ．他の通信端末３１０から、通信サービスに接続するための接続情報と前記他の通信端末３１０の利用者の識別情報とを含む第１の情報を取得する情報取得部３１０２と、
Ｂ．情報取得部３１０２により取得された前記第１の情報に基づいて、前記接続情報と自端末の利用者の識別情報とを含む第２の情報を生成する情報生成部３１０４と、
を備える。
【０２２９】
また、第３の実施形態による情報処理装置３２０（サービス管理装置）は、
Ｃ．通信サービスの接続情報および自端末の利用者の識別情報を通信端末３１０ａ（第１の通信端末）から伝搬された通信端末である通信端末３１０ｂ（第２の通信端末）から、前記通信端末３１０ａの利用者の識別情報と、前記通信端末３１０ｂの利用者の識別情報と、を受信する通信部３２００（受信部）と、
Ｄ．前記通信端末３１０ａの利用者と前記通信端末３１０ｂの利用者との関連性を示すソーシャルグラフを生成するグラフ生成部３２０２と、
を備える。
【０２３０】
［３−１．通信システムの基本構成］
以下では、まず、このような第３の実施形態による通信システムの基本構成について図３０を参照して説明する。図３０に示したように、第３の実施形態による通信システムは、通信端末３１０、通信網１１２、および情報処理装置３２０を含む。なお、通信網１１２は、第１の実施形態と同様である。
【０２３１】
‐通信端末３１０‐
通信端末３１０は、通信網１１２に接続可能な装置である。通信端末３１０は、例えば、スマートフォンなどの携帯電話、タブレット端末、ＰＤＡなどであってもよい。また、通信端末３１０は、第１の実施形態による第１の通信端末１１０と同様のハードウェア構成を有してもよい。また、通信端末３１０は、上記の第１の通信端末１１０によるハードウェア構成に加えて、近距離無線通信機能をさらに有してもよい。
【０２３２】
また、通信端末３１０は、例えば他の通信端末３１０などに、通信サービスを提供することが可能なサービス管理装置であってもよい。ここで、通信サービスは、例えば、コンテンツを他の通信端末との間で共有するためのサービスであってもよいし、第１の実施形態で説明した、コンテンツの再生サービスであってもよい。また、通信端末３１０は、他の通信端末３１０などを、例えばＷｉ−Ｆｉにより所定の無線ＬＡＮに接続させるためのアクセスポイントの機能を有してもよい。
【０２３３】
‐情報処理装置３２０‐
情報処理装置３２０は、通信網１１２に接続可能な装置である。また、情報処理装置３２０は、第１の実施形態による第１の通信端末１１０と同様のハードウェア構成を有してもよいし、例えば入力装置１１６０または撮影装置１１６６は含まれないなどの相違点を有してもよい。また、情報処理装置３２０は、例えば複数の通信端末３１０に、上述した、通信サービスを提供することが可能なサービス管理装置であってもよい。また、情報処理装置３２０は、通信端末３１０のうちのいずれかと同一であってもよい。
【０２３４】
［３−２．第３の実施形態の概要］
続いて、上述した通信システムから構成される第３の実施形態の概要について、図３１を参照して説明する。ここでは一例として、通信端末３１０ａ〜通信端末３１０ｄを所持する各利用者がパーティに参加し、そして、各利用者は、例えば情報処理装置３２０により提供される通信サービスにおいて通信端末３１０ａにより開催されるイベントに参加することを希望している例について説明する。
【０２３５】
まず、イベントの主催者「Ａ」が、自己が所持する通信端末３１０ａにより、当該通信サービスに接続するための接続情報と、「Ａ」の利用者識別情報とを含む、例えばＱＲコード（登録商標）のような第１の情報を、例えば主催者「Ａ」の友人などの、他のパーティ参加者である「Ｂ」に対して提示する（Ｓ３１）。次に、当該人物「Ｂ」は、自己が所持する通信端末３１０ｂにより、通信端末３１０ａから当該第１の情報を読み取り、取得する（Ｓ３２）。
【０２３６】
そして、通信端末３１０ｂは、取得された第１の情報に含まれる接続情報により、当該通信サービスに接続するとともに、情報処理装置３２０に対して、「Ａ」の利用者識別情報と、「Ｂ」の利用者識別情報と、を送信する。続いて、情報処理装置３２０は、「Ａ」と「Ｂ」との関連性を示すソーシャルグラフを生成する。
【０２３７】
続いて、通信端末３１０ｂは、取得された第１の情報に基づいて、当該接続情報と、「Ｂ」の利用者識別情報とを含む、例えばＱＲコード（登録商標）のような第２の情報を生成する。そして、当該人物「Ｂ」は、通信端末３１０ｂにより、当該第２の情報を、例えば、他のパーティ参加者である「Ｃ」および「Ｄ」に対して提示する。
【０２３８】
続いて、当該人物「Ｃ」および「Ｄ」は、それぞれが所持する通信端末３１０ｃまたは通信端末３１０ｄにより、通信端末３１０ｂから当該第２の情報を読み取り、取得する。
【０２３９】
そして、通信端末３１０ｃおよび通信端末３１０ｄはそれぞれ、取得された第２の情報に含まれる接続情報により当該通信サービスに接続するとともに、情報処理装置３２０に対して、「Ｂ」の利用者識別情報と、自己の利用者識別情報と、を送信する。続いて、情報処理装置３２０は、生成されたソーシャルグラフに対して、「Ｂ」と「Ｃ」との関連性を示すソーシャルグラフ、および「Ｂ」と「Ｄ」との関連性を示すソーシャルグラフを追加する。なお、図３１の右側に示したソーシャルグラフ３３０は、以上の過程により最終的に更新されたソーシャルグラフである。
【０２４０】
上述したように、第３の実施形態によれば、通信端末３１０ｂは、他の通信端末３１０ａから、通信サービスに接続するための接続情報と他の通信端末３１０ａの利用者の識別情報とを含む第１の情報を取得する。そして、通信端末３１０ｂは、取得された第１の情報に基づいて、当該接続情報と自端末の利用者の識別情報とを含む第２の情報を生成する。このため、通信端末３１０ｂは、当該接続情報と、他の通信端末３１０ａの利用者の識別情報と、を対応づけて他の通信端末通信端末３１０ａから取得したり、当該接続情報と、通信端末３１０ｂの利用者の識別情報と、を対応づけて他の通信端末３１０ｃへ伝搬することができる。従って、例えばソーシャルグラフ３３０のような形式により、利用者と対応づけて情報の個々の伝達過程を明示することを支援することができる。
【０２４１】
［３−３．第３の実施形態による構成］
（３−３−１．通信端末３１０）
以上、第３の実施形態の概要について説明した。続いて、第３の実施形態による構成について詳細に説明する。図３２は、第３の実施形態による通信端末３１０および情報処理装置３２０の構成を示した機能ブロック図である。図３２に示したように、第３の実施形態による通信端末３１０は、通信部３１００、情報取得部３１０２、情報生成部３１０４、送信制御部３１０６、情報伝搬部３１０８、記憶部３１１０、および入力部３１１２を含む。
【０２４２】
通信部３１００は、通信網１１２を介して情報処理装置３２０との間で各種情報を送受信する。例えば、通信部３１００は、後述する情報取得部３１０２による第１の情報の取得元である、他の通信端末３１０の利用者の識別情報と、自端末の利用者の識別情報と、を対応づけて情報処理装置３２０へ送信する。
【０２４３】
情報取得部３１０２は、他の通信端末３１０から、通信サービスに接続するための接続情報と当該他の通信端末３１０の利用者の識別情報とを含む第１の情報を取得する。ここで、接続情報は、例えば他のいずれかの通信端末３１０または情報処理装置３２０など、当該通信サービスを管理するサービス管理装置のアドレス情報、および当該通信サービスの識別情報を含んでもよい。また、接続情報は、例えば他のいずれかの通信端末３１０など、当該通信サービスに接続された所定のアクセスポイントの識別子および前記所定のアクセスポイントに接続するための認証情報を含んでもよい。また、第１の情報は、例えばＱＲコード（登録商標）やバーコードのような情報コードであってもよい。
【０２４４】
また、情報取得部３１０２は、第１の情報が情報コードである場合には、他の通信端末３１０に表示された第１の情報を撮像により取得してもよい。また、情報取得部３１０２は、他の通信端末３１０から第１の情報を、近距離無線通信により取得してもよい。
【０２４５】
情報生成部３１０４は、情報取得部３１０２により取得された第１の情報に基づいて、上述した接続情報と自端末の利用者の識別情報とを含む第２の情報を生成する。ここで、第２の情報は、例えばＱＲコード（登録商標）やバーコードのような情報コードであってもよい。
【０２４６】
送信制御部３１０６は、上述したサービス管理装置に対して、他の通信端末３１０の利用者の識別情報および自端末の利用者の識別情報を通信部３１００に送信させる。また、送信制御部３１０６は、例えば情報取得部３１０２により第１の情報が取得された直後に、他の通信端末３１０の利用者の識別情報および自端末の利用者の識別情報を通信部３１００に送信させてもよい。
【０２４７】
情報伝搬部３１０８は、情報生成部３１０４により生成された第２の情報を他の通信端末３１０へ伝搬する。また、情報伝搬部３１０８は、第２の情報が情報コードである場合には、第２の情報を例えば通信端末３１０に表示させることにより伝搬してもよい。また、情報伝搬部３１０８は、第２の情報を、近距離無線通信により他の通信端末３１０へ伝搬してもよい。
【０２４８】
記憶部３１１０は、例えば情報取得部３１０２により取得される第１の情報などの各種情報や、通信端末３１０の動作を制御するためのソフトウェアなどの各種ソフトウェアを記憶する。
【０２４９】
入力部３１１２は、利用者による各種操作を受け付ける。例えば、入力部３１１２は、情報取得部３１０２による第１の情報の取得に対する指示操作や、情報伝搬部３１０８による第２の情報の伝搬に対する指示操作などを受け付ける。
【０２５０】
なお、第３の実施形態によれば、通信端末３１０に内蔵されるＣＰＵ、ＲＯＭおよびＲＡＭなどのハードウェアを、上述した通信端末３１０の各構成と同等の機能を発揮させるためのコンピュータプログラムも提供可能である。また、該コンピュータプログラムを記憶させた記憶媒体も提供される。
【０２５１】
以上、第３の実施形態による通信端末３１０の構成について説明したが、上述した構成に限定されない。例えば、通信部３１００、送信制御部３１０６、情報伝搬部３１０８、記憶部３１１０、入力部３１１２のうちいずれか一つ以上は、他の装置に備えられてもよい。また、後述する情報処理装置３２０の各構成と同等な機能が、通信端末３１０に含まれていてもよい。
【０２５２】
（３−３−２．情報処理装置３２０）
また、図３２に示したように、第３の実施形態による情報処理装置３２０は、通信部３２００、グラフ生成部３２０２、および記憶部３２０４を含む。
【０２５３】
通信部３２００は、通信網１１２を介して通信端末３１０との間で各種情報を送受信する。例えば、通信部３２００は、第１の情報を通信端末３１０ａから伝搬された通信端末である通信端末３１０ｂから、通信端末３１０ａの利用者の識別情報と、通信端末３１０ｂの利用者の識別情報と、を受信する。
【０２５４】
グラフ生成部３２０２は、通信部３２００により受信された、通信端末３１０ａ（第１の通信端末）の利用者と通信端末３１０ｂ（第２の通信端末）の利用者との関連性を示すソーシャルグラフを生成する。また、第１の情報を通信端末３１０ｂから伝搬された通信端末である通信端末３１０ｃ（第３の通信端末）から、通信端末３１０ｂの利用者の識別情報と、通信端末３１０ｃの利用者の識別情報と、が通信部３２００により受信された場合には、グラフ生成部３２０２は、上記のソーシャルグラフに対して、通信端末３１０ｂの利用者と通信端末３１０ｃの利用者との関係性を示すグラフを追加してもよい。
【０２５５】
記憶部３２０４は、例えば、情報処理装置３２０の動作を制御するためのソフトウェアなどの各種ソフトウェアを記憶する。また、記憶部３２０４は、通信端末３１０ｂから受信される、第１の情報の伝搬元である他の通信端末３１０ａの利用者の識別情報と、通信端末３１０ｂの利用者の識別情報と、を対応づけて、例えば図３３に示したような伝搬情報テーブル３２２に記録するとともに、この伝搬情報テーブル３２２を記憶する。
【０２５６】
ここで、図３３を参照して、伝搬情報テーブル３２２の構成の例について説明する。図３３に示したように、伝搬情報テーブル３２２では、接続者ＩＤ列３２２０と、伝搬元ＩＤ列３２２２と、伝搬先ＩＤ列３２２４と、が対応づけて記録される。例えば、図３３の３行目に示したデータは、利用者の識別情報が「Ｂ」である通信端末３１０ｂから、第１の情報の伝搬元である他の通信端末３１０ａの利用者の識別情報として「Ａ」が通信部３２００に受信されたことを示している。また、当該データは、利用者の識別情報が「Ｄ」である通信端末３１０ｄから、通信端末３１０ｂにより生成された第２の情報が当該通信端末３１０ｄへ伝搬された事実が通信部３２００に受信されたことを示している。
【０２５７】
以上、第３の実施形態による情報処理装置３２０の構成について説明したが、上述した構成に限定されない。例えば、記憶部３２０４は他の装置に備えられてもよい。
【０２５８】
［３−４．第３の実施形態による動作］
以上、第３の実施形態による構成について説明した。続いて、第３の実施形態による動作について説明する。図３４は、第３の実施形態による動作を示すシーケンス図である。
【０２５９】
図３４に示したように、まず、入力部３１１２に対する利用者の操作により、通信端末３１０ａは、予めダウンロードされた当該通信サービスを利用するためのアプリケーションを起動する（Ｓ３０１）。そして、入力部３１１２に対する利用者の操作により、通信端末３１０ａは、当該通信サービスにおいてイベントを開催する（Ｓ３０２）。
【０２６０】
続いて、通信端末３１０ａの情報生成部３１０４は、当該通信サービスに接続するための接続情報と通信端末３１０ａの利用者の識別情報とを含む第１の情報を生成する（Ｓ３０３）。なお、第１の情報は、例えばＱＲコード（登録商標）のような情報コードであってもよい。
【０２６１】
ここで、図３５を参照して、Ｓ３０３において生成される第１の情報（情報コード３４０ａ）に含まれるデータの例について説明する。図３５に示したように、情報コード３４０ａは、接続情報として、例えば、ＳＳＩＤ３４００ａ、無線ＬＡＮパスワード３４０２ａ、サービス提供者のアドレス３４０４ａ、およびイベント情報３４０６ａを含む。さらに、情報コード３４０ａは、伝搬者ＩＤ３４０８ａを含む。例えば、図３５に示した情報コード３４０ａには、無線ＬＡＮにおけるアクセスポイントのＩＤ（ＳＳＩＤ）として「ＡＣＳＰＮＴ０１」、サービス提供者のＩＰアドレスとして「１９２．１６８．０．１１」、例えば当該イベントの識別子であるイベント情報として「Ｓ００３＠ａｓｄａ」、当該情報コード３４０ａを生成した通信端末３１０の利用者の識別情報として「Ａ」、がそれぞれ含まれていることを示している。
【０２６２】
続いて、通信端末３１０ａとは異なる通信端末である通信端末３１０ｂは、入力部３１１２に対する利用者の操作により、予めダウンロードされた当該通信サービスを利用するためのアプリケーションを起動する（Ｓ３０４）。
【０２６３】
続いて、通信端末３１０ｂの情報取得部３１０２は、通信端末３１０ａから第１の情報を取得する（Ｓ３０５）。ここで、情報取得部３１０２は、第１の情報が情報コードである場合には、通信端末３１０ａの情報伝搬部３１０８は、第１の情報を例えば通信端末３１０ａに表示し、そして、通信端末３１０ｂの情報取得部３１０２は、表示された第１の情報を撮像することにより取得してもよい。
【０２６４】
続いて、入力部３１１２に対する利用者の操作により、通信端末３１０ｂの通信部３１００は、取得された第１の情報に含まれる接続情報に基づいて、当該通信サービスに接続する。そして、入力部３１１２に対する利用者の操作により、通信端末３１０ｂは、当該通信サービスにおける、通信端末３１０ａにより開催されたイベントに参加する（Ｓ３０６）。
【０２６５】
続いて、通信端末３１０ｂの通信部３１００は、情報取得部３１０２による第１の情報の取得元である通信端末３１０ａの利用者の識別情報と、自端末の利用者の識別情報と、を対応づけて情報処理装置３２０へ送信する。そして、情報処理装置３２０のグラフ生成部３２０２は、通信端末３１０ａの利用者と通信端末３１０ｂの利用者との関連性を示すソーシャルグラフを生成する（Ｓ３０７）。
【０２６６】
続いて、通信端末３１０ｂの情報生成部３１０４は、情報取得部３１０２により取得された第１の情報に基づいて、当該接続情報と通信端末３１０ｂの利用者の識別情報とを含む第２の情報を生成する（Ｓ３０８）。なお、第１の情報は、例えばＱＲコード（登録商標）のような情報コードであってもよい。
【０２６７】
ここで、図３５を参照して、Ｓ３０８において生成される第２の情報（情報コード３４０ｂ）に含まれるデータの例について説明する。図３５に示したように、情報コード３４０ｂは、例えば、接続情報として、情報コード３４０ａに含まれる接続情報と同様の情報を含んでもよい。また、伝搬者ＩＤ３４０８ｂは、当該情報コード３４０ｂを生成した通信端末３１０に関する利用者の識別情報である「Ｂ」を含む。
【０２６８】
続いて、通信端末３１０ａおよび通信端末３１０ｂとは異なる通信端末である通信端末３１０ｃは、入力部３１１２に対する利用者の操作により、予めダウンロードされた当該通信サービスを利用するためのアプリケーションを起動する（Ｓ３０９）。
【０２６９】
続いて、通信端末３１０ｃの情報取得部３１０２は、通信端末３１０ｂから第２の情報を取得する（Ｓ３１０）。ここで、情報取得部３１０２は、第２の情報が情報コードである場合には、通信端末３１０ｂの情報伝搬部３１０８は、第２の情報を例えば通信端末３１０ｂに表示し、そして、通信端末３１０ｃの情報取得部３１０２は、表示された第２の情報を撮像することにより取得してもよい。
【０２７０】
続いて、入力部３１１２に対する利用者の操作により、通信端末３１０ｃの通信部３１００は、取得された第２の情報に含まれる接続情報に基づいて、当該通信サービスに接続する。そして、入力部３１１２に対する利用者の操作により、通信端末３１０ｃは、当該通信サービスにおける、通信端末３１０ａにより開催されたイベントに参加する（Ｓ３１１）。
【０２７１】
続いて、通信端末３１０ｃの通信部３１００は、情報取得部３１０２による第２の情報の取得元である通信端末３１０ｂの利用者の識別情報と、自端末の利用者の識別情報と、を対応づけて情報処理装置３２０へ送信する。そして、情報処理装置３２０のグラフ生成部３２０２は、Ｓ３０７で生成されたソーシャルグラフに対して、通信端末３１０ｂの利用者と通信端末３１０ｃの利用者との関連性を示すグラフを追加する（Ｓ３１２）。
【０２７２】
以上、第３の実施形態による動作について説明したが、上述した動作に限定されない。例えば、Ｓ３０８の動作は、Ｓ３０５とＳ３０６との間で行われてもよい。また、例えば、通信端末３１０ａが情報処理装置３２０の機能をさらに含んでいる場合には、Ｓ３０７およびＳ３１２において、通信端末３１０ｂおよび通信端末３１０ｃは、上述した利用者の識別情報を情報処理装置３２０の代わりに、通信端末３１０ａへ送信してもよい。
【０２７３】
［３−５．第３の実施形態による効果］
以上説明したように、第３の実施形態によれば、通信端末３１０ｂは、他の通信端末３１０ａから、通信サービスに接続するための接続情報と他の通信端末３１０ａの利用者の識別情報とを含む第１の情報を取得する。そして、通信端末３１０ｂは、取得された第１の情報に基づいて、当該接続情報と自端末の利用者の識別情報とを含む第２の情報を生成する。このため、通信端末３１０ｂは、当該接続情報と、他の通信端末３１０ａの利用者の識別情報と、を対応づけて他の通信端末から取得したり、当該接続情報と、通信端末３１０ｂの利用者の識別情報と、を対応づけて他の通信端末３１０ｃへ伝搬することができる。従って、例えばソーシャルグラフ３３０のような形式により、利用者と対応づけて情報の個々の伝達過程を明示することを支援することができる。
【０２７４】
また、通信端末３１０は、他の通信端末３１０から取得される第１の情報に基づいて通信サービスに接続するときと同時または直後に、第１の情報の伝搬元である通信端末３１０の利用者の識別情報と、自端末の利用者の識別情報と、を情報処理装置３２０へ送信する。このため、情報処理装置３２０は、通信端末３１０による通信サービスへの接続に応じて、動的にソーシャルグラフを生成および更新することができるので、情報の個々の伝達過程を動的に可視化することができる。
【０２７５】
また、通信端末３１０の利用者は、例えばイベントの終了後に、情報処理装置３２０により生成されたソーシャルグラフを情報処理装置３２０から取得することにより、イベントの参加者の一覧を確認したり、参加者同士の関係性について推測する資料として活用することができる。
【０２７６】
また、通信端末３１０は、第１の情報が情報コードである場合には、他の通信端末３１０に表示された第１の情報を撮像により取得する。このため、通信端末３１０の利用者は、例えばポスターなどの紙に印刷された情報コードを撮像する場合と比較して、より速く、かつ、より容易に情報コードを撮像することができる。
【０２７７】
また、通信端末３１０は、原則として、通信サービスに接続するための接続情報、および自端末の利用者の識別情報だけを含む第２の情報を他の通信端末３１０へ伝搬する。このため、通信端末３１０の間で個人情報などの重要な情報は共有されないので、重要な情報が漏えいしたり、不正利用されるリスクはほとんどない。
【０２７８】
また、通信端末３１０は、他の通信端末３１０から第１の情報を取得しなければ、原則として当該通信サービスに接続することができない。このため、例えば通信サービスに参加する資格を有しない者は当該通信サービスに接続することができないので、セキュリティの高い通信サービスを実現することができる。
【０２７９】
＜４．第４の実施形態の詳細な説明＞
以上、第３の実施形態について説明した。次に第４の実施形態について説明する。まず、第４の実施形態が解決しようとする課題について説明する。従来、写真やデータの共有サービスが開発されているが、このような共有サービスでは、利用者に必ずユーザ登録をさせ、かつ、ユーザ名とパスワードの対で当該共有サービスにログインさせる。このため、利用者にとっては、上記の登録やログインの作業が負担になったり、パスワードを忘れた場合にはログインできなくなる。特に、「その場だけでデータを共有したい」といった用途に対しては、上記の登録やログインの作業が、利用者に大きな負担をかけてしまう場合がある。
【０２８０】
また、特開２０１２−１３３７３５号公報および特開２０１２−０６４１５１号公報に記載された技術では、通信サービスにおける利用内容を当該通信サービスの終了後に振り返ることを十分支援することができないという事情がある。例えば、パーティ会場などにおいて一時的に提供される通信サービスにおいて利用された内容を、当該通信サービスが終了された後に振り返ることを支援することができない。
【０２８１】
そこで、上記事情を一着眼点にして第４の実施形態による第１の通信端末４１０（通信端末）を創作するに至った。第４の実施形態による第１の通信端末４１０は、通信サービスにおける利用内容を当該通信サービスの終了後に振り返ることを支援することができる。
【０２８２】
このような第４の実施形態による第１の通信端末４１０は、
Ａ．共有されているコンテンツを管理する情報処理装置４３０から、通信サービスに対応づけられたサービス識別情報を取得する通信部４１００（取得部）と、
Ｂ．第２の通信端末４２０（他の通信端末）に対して、前記サービス識別情報に対応づけられたサービス利用者識別情報を発行する利用者識別情報発行部４１０２と、
Ｃ．前記サービス識別情報、および前記利用者識別情報発行部４１０２により発行された前記サービス利用者識別情報を前記情報処理装置４３０へ通信部４１００に送信させる送信制御部４１０４と、
を備える。
【０２８３】
また、第４の実施形態による第２の通信端末４２０（通信端末）は、
Ｄ．第１の通信端末４１０（他の通信端末）に対して、通信サービスの利用を要求するサービス利用要求部４２０２と、
Ｅ．前記第１の通信端末４１０から、前記通信サービスのサービス識別情報、および前記サービス識別情報に対応づけられたサービス利用者識別情報を受信する通信部４２００（受信部）と、
Ｆ．自端末に記憶されているコンテンツに対応するメタ情報を前記第１の通信端末４１０へ通信部４２００に送信させる送信制御部４２０４と、
を備える。
【０２８４】
［４−１．通信システムの基本構成］
以下では、まず、このような第４の実施形態による通信システムの基本構成について図３６を参照して説明する。図３６に示したように、第４の実施形態による通信システムは、第１の通信端末４１０、第２の通信端末４２０、通信網１１２、および情報処理装置４３０を含む。なお、通信網１１２は、第１の実施形態と同様である。
【０２８５】
‐第１の通信端末４１０‐
第１の通信端末４１０は、通信網１１２に接続可能な通信端末である。第１の通信端末４１０は、例えば、スマートフォンなどの携帯電話、タブレット端末、ラップトップ型ＰＣ（Ｐｅｒｓｏｎａｌ  Ｃｏｍｐｕｔｅｒ）、ＰＤＡ、デジタルスチルカメラ、デジタルビデオカメラ、ゲーム機などであってもよい。また、第１の通信端末４１０は、第１の実施形態による第１の通信端末１１０と同様のハードウェア構成を有してもよい。
また、第１の通信端末４１０は、第２の通信端末４２０などを、例えばＷｉ−Ｆｉにより所定の無線ＬＡＮに接続させるためのアクセスポイントの機能を有してもよい。
【０２８６】
‐第２の通信端末４２０‐
第２の通信端末４２０は、通信網１１２に接続可能な通信端末である。第２の通信端末４２０は、例えば、スマートフォンなどの携帯電話、タブレット端末、ラップトップ型ＰＣ、ＰＤＡ、デジタルスチルカメラ、デジタルビデオカメラ、ゲーム機などであってもよい。また、第１の通信端末４１０は、第１の実施形態による第１の通信端末１１０と同様のハードウェア構成を有してもよい。
【０２８７】
‐情報処理装置４３０‐
情報処理装置４３０は、第１の通信端末４１０および第２の通信端末４２０の間で共有されているコンテンツを管理する装置である。また、情報処理装置３２０は、第１の実施形態による第１の通信端末１１０と同様のハードウェア構成を有してもよいし、例えば入力装置１１６０または撮影装置１１６６は含まないなどの相違点を有してもよい。
【０２８８】
［４−２．第４の実施形態の概要］
続いて、上述した通信システムから構成される第４の実施形態の概要について、図３７を参照して説明する。ここでは一例として、例えば第１の通信端末４１０などの所定のアクセスポイントにより提供されるローカルネットワークにおいて、第１の通信端末４１０を所持する人物Ａがコンテンツ共有サービスを主催することを希望しており、かつ、第２の通信端末４２０を所持する人物Ｂおよび人物Ｃが当該コンテンツ共有サービスに参加を希望している例について説明する。
【０２８９】
このような状況において、第１の通信端末４１０は、まず、例えば当該ローカルネットワークの外に設置されている情報処理装置４３０に対して、当該コンテンツ共有サービスに対応づけられたサービス識別情報を取得する。次に、第１の通信端末４１０は、取得されたサービス識別情報を利用して、当該ローカルネットワークにおいてコンテンツ共有サービスを主催する。そして、第１の通信端末４１０は、当該コンテンツ共有サービスに参加を希望する、第２の通信端末４２０を所持する人物ＢおよびＣに対して、当該サービス識別情報に対応づけられたサービス利用者識別情報を、一人ひとり異なるように発行する。
【０２９０】
続いて、人物Ａ、人物Ｂ、および人物Ｃの三者の間で当該コンテンツ共有サービスを利用し、それぞれが所持する例えば撮影画像などのコンテンツを共有する（Ｓ４１）。
【０２９１】
続いて、例えば当該コンテンツ共有サービスの終了時などに、第１の通信端末４１０は、当該サービス識別情報と、第２の通信端末４２０に対して発行したサービス利用者識別情報のリストと、例えば撮影画像など、当該コンテンツ共有サービスにおけるコンテキストとを情報処理装置４３０へ送信する（Ｓ４２）。その後、第１の通信端末４１０は、当該コンテンツ共有サービスを終了させる。なお、この情報処理装置４３０は、当該コンテンツ共有サービスにおけるコンテキストなどの利用内容を蓄積するサービス（以下、親サービスと称する）を提供することができる。
【０２９２】
続いて、例えば、当該ローカルネットワークから離れた、人物Ｂが所持する第２の通信端末４２０は、上記のコンテンツ共有サービスにおけるコンテキストを振り返ることを目的として、情報処理装置４３０に対して、当該サービス識別情報と、第１の通信端末４１０により発行されたサービス利用者識別情報と、を通信網１１２を介して送信する（Ｓ４３）。
【０２９３】
その後、情報処理装置４３０は、Ｓ４２において受信した情報とのマッチングを行うことにより、人物Ｂが当該コンテンツ共有サービスにおける利用者であることを確認できた場合には、人物Ｂが所持する第２の通信端末４２０に対して、例えば当該コンテキストの参照などを許可する（Ｓ４４）。
【０２９４】
上述したように、第４の実施形態によれば、第１の通信端末４１０は、共有されているコンテンツを管理する情報処理装置４３０から、通信サービスに対応づけられたサービス識別情報を取得し、第２の通信端末４２０に対して、当該サービス識別情報に対応づけられたサービス利用者識別情報を発行する。そして、第１の通信端末４１０は、当該サービス識別情報、および第２の通信端末４２０に対して発行されたサービス利用者識別情報を情報処理装置４３０へ送信する。このため、第２の通信端末４２０の利用者は、当該サービス識別情報と、第１の通信端末４１０により発行されたサービス利用者識別情報と、を情報処理装置４３０へ通信網１１２を介して送信することにより、通信サービスの終了後であっても、当該通信サービスにおける利用者との同一性が情報処理装置４３０により保証される。従って、第１の通信端末４１０は、当該通信サービスにおいて繋がったユーザ同士が当該通信サービスの終了後に繋がりを維持することを支援することができる。
【０２９５】
［４−３．第４の実施形態による構成］
（４−３−１．第１の通信端末４１０）
以上、第４の実施形態の概要について説明した。続いて、第４の実施形態による構成にについて詳細に説明する。図３８は、第４の実施形態による第１の通信端末４１０の構成を示した機能ブロック図である。図３８に示したように、第４の実施形態による第１の通信端末４１０は、通信部４１００（取得部）、利用者識別情報発行部４１０２、送信制御部４１０４、記憶部４１０６、サービス履歴取得部４１０８、入力部４１１０、および表示部４１１２を含む。
【０２９６】
通信部４１００は、通信網１１２を介して第２の通信端末４２０および情報処理装置４３０との間で各種情報を送受信する。例えば、通信部４１００は、情報処理装置４３０から通信サービスに対応づけられたサービス識別情報を受信する。ここで、通信サービスは、例えば、コンテンツを共有するためのサービスである。また、コンテンツは、例えば、文字情報、音楽、または画像である。
【０２９７】
また、通信部４１００は、第２の通信端末４２０から、当該第２の通信端末４２０に記憶されているコンテンツに対応するメタ情報と、当該第２の通信端末４２０に対して発行されたサービス利用者識別情報とを受信する。また、通信部４１００は、第２の通信端末４２０から、後述する記憶部４１０６に記憶されているメタ情報に対応するサービス利用者識別情報の提供要求を受信する。また、通信部４１００は、後述する送信制御部４１０４による制御により、受信されたサービス識別情報を第２の通信端末４２０へ送信する。
【０２９８】
利用者識別情報発行部４１０２は、第２の通信端末４２０に対して、受信されたサービス識別情報に対応づけられたサービス利用者識別情報を発行する。また、利用者識別情報発行部４１０２は、第１の通信端末４１０に対して上記のサービス利用者識別情報をさらに発行してもよい。
【０２９９】
送信制御部４１０４は、受信されたサービス識別情報、および利用者識別情報発行部４１０２により発行されたサービス利用者識別情報を情報処理装置４３０へ通信部４１００に送信させる。また、送信制御部４１０４は、上記のサービス識別情報を第２の通信端末４２０へ通信部４１００にさらに送信させてもよい。また、送信制御部４１０４は、第２の通信端末４２０から、上述した提供要求が受信された場合には、当該提供要求により指定されるメタ情報に対応するサービス利用者識別情報を当該第２の通信端末４２０へ、通信部４１００にさらに送信させてもよい。また、送信制御部４１０４は、後述する記憶部４１０６に記憶されたメタ情報と、当該メタ情報に対応するサービス利用者識別情報と、を情報処理装置４３０へ通信部４１００にさらに送信させてもよい。なお、上述した送信制御部４１０４の機能の詳細については後に説明する。
【０３００】
記憶部４１０６は、例えば、第２の通信端末４２０から受信されたメタ情報と、当該第２の通信端末４２０に対して発行されたサービス利用者識別情報と、を対応づけて記憶する。また、記憶部４１０６は、記憶部４１０６に記憶されているコンテンツに対応するメタ情報と、第１の通信端末４１０に対して発行されたサービス利用者識別情報と、を対応づけてさらに記憶してもよい。また、送信制御部４１０４が上記のメタ情報および上記のサービス利用者識別情報を情報処理装置４３０へ通信部４１００に送信させた場合には、記憶部４１０６は、記憶部４１０６に記憶されている当該メタ情報および当該サービス利用者識別情報を削除してもよい。
【０３０１】
サービス履歴取得部４１０８は、情報処理装置４３０から、情報処理装置４３０に記憶されているメタ情報と、当該メタ情報に対応するサービス利用者識別情報と、を取得する。
【０３０２】
入力部４１１０は、利用者による各種操作を受け付ける。例えば、入力部４１１０は、利用者により通信サービスを利用するためのアプリケーションを起動させる操作などを受け付ける。
【０３０３】
表示部４１１２は、例えばコンテンツ共有サービスなどの通信サービスを利用するためのアプリケーションにより生成される表示画面などの各種表示画面を表示する。
【０３０４】
ここで、図４０を参照して、コンテンツ共有サービスを利用するためのアプリケーションによる表示画面の一例（コンテンツ共有サービス画面４４０）について説明する。図４０に示したように、例えば、コンテンツ共有サービス画面４４０は、表示画面の選択ボタン４４００、コンテンツの表示欄４４０２、およびコンテンツの所有者の顔画像表示欄４４０４を含む。ここで、表示画面の選択ボタン４４００は、例えば、写真用画面と音楽用画面のような、再生させるコンテンツごとに設けられた表示画面の表示を切り替えるためのボタンであってもよい。なお、図４０では、共有されるコンテンツの種類が撮影画像である例を示しているが、かかる例に限定されず、共有されるコンテンツは、音楽、映画、またはチャットの内容などでもよい。また、例えば、共有されるコンテンツが音楽である場合には、コンテンツの表示欄４４０２には、例えば当該コンテンツに関するサムネイルが表示されてもよい。また、このコンテンツ共有サービス画面４４０は、例えば記憶部４１０６に記憶される、図４１に示したようなコンテンツ共有リスト４３２に基づいて生成されてもよい。
【０３０５】
次に、図４１を参照して、コンテンツ共有リスト４３２の構成の一例について説明する。図４１に示したように、例えば、コンテンツ共有リスト４３２には、メタ情報（コンテンツ名）列４３２０と、メタ情報（アーティスト名）列４３２２と、コンテンツの所有者のアカウント列４３２４とが対応づけて記録される。ここで、コンテンツの所有者のアカウント列４３２４には、当該コンテンツを当該コンテンツ共有サービスに投稿した利用者のアカウントが記録される。例えば、図４１の２行目に示したデータは、コンテンツ名が「楽曲１」であり、コンテンツの種類が「音楽」であり、当該コンテンツの所有者のアカウント名が「Ａｋｋｏ」であることを示している。
【０３０６】
なお、第４の実施形態によれば、第１の通信端末４１０に内蔵されるＣＰＵ、ＲＯＭおよびＲＡＭなどのハードウェアを、上述した第１の通信端末４１０の各構成と同等の機能を発揮させるためのコンピュータプログラムも提供可能である。また、該コンピュータプログラムを記憶させた記憶媒体も提供される。
【０３０７】
以上、第４の実施形態による第１の通信端末４１０の構成について説明したが、上述した構成に限定されない。例えば、記憶部４１０６、サービス履歴取得部４１０８、入力部４１１０、および表示部４１１２のうちいずれか一つ以上は、他の装置に備えられてもよい。
【０３０８】
（４−３−２．第２の通信端末４２０）
また、図３９に示したように、第４の実施形態による第２の通信端末４２０は、通信部４２００（受信部）、サービス利用要求部４２０２、送信制御部４２０４、記憶部４２０６、サービス履歴取得部４２０８、入力部４２１０、および表示部４２１２を含む。
【０３０９】
通信部４２００は、通信網１１２を介して第１の通信端末４１０および情報処理装置４３０との間で各種情報を送受信する。例えば、通信部４２００は、第１の通信端末４１０から、通信サービスのサービス識別情報、および当該サービス識別情報に対応づけられたサービス利用者識別情報を受信する。また、通信部４２００は、後述する送信制御部４２０４による制御により、第１の通信端末４１０から受信された、上記のサービス識別情報と、上記のサービス利用者識別情報とを情報処理装置４３０へ送信する。
【０３１０】
サービス利用要求部４２０２は、第１の通信端末４１０に対して通信サービスの利用を、通信部４２００を介して要求する。
【０３１１】
送信制御部４２０４は、通信部４２００に対して、第１の通信端末４１０および情報処理装置４３０に対する各種情報の送信を制御する。例えば、送信制御部４２０４は、記憶部４２０６に記憶されているコンテンツのメタ情報を第１の通信端末４１０へ通信部４２００に送信させる。
【０３１２】
記憶部４２０６は、例えば、通信部４２００により受信される、上記のサービス識別情報、および上記のサービス利用者識別情報などの各種情報や、通信サービスを利用するためのアプリケーションなどの各種ソフトウェアを記憶する。
【０３１３】
なお、サービス履歴取得部４２０８、入力部４２１０、および表示部４２１２の機能は、それぞれ第１の通信端末４１０におけるサービス履歴取得部４１０８、入力部４１１０、および表示部４１１２と同様である。
【０３１４】
以上、第４の実施形態による第２の通信端末４２０の構成について説明したが、上述した構成に限定されない。例えば、サービス利用要求部４２０２、サービス履歴取得部４２０８、および入力部４２１０のうちいずれか一つ以上は、他の装置に備えられてもよい。
【０３１５】
［４−４．第４の実施形態による動作］
（４−４−１．コンテンツ共有サービス中の動作）
以上、第４の実施形態による構成について説明した。続いて、第４の実施形態による動作について説明する。最初に、第４の実施形態による、通信サービス中の動作について説明する。なお、ここでは一列として、通信サービスがコンテンツ共有サービスである場合における動作について説明する。
【０３１６】
図４２は、第４の実施形態によるコンテンツ共有サービス中の動作を示すシーケンス図である。図４２に示したように、まず、入力部４１１０に対する利用者の操作により、第１の通信端末４１０は、予めダウンロードされた、コンテンツ共有サービスを利用するためのアプリケーションを起動する（Ｓ４０１）。
【０３１７】
続いて、入力部４１１０に対する利用者の操作により、或るローカルネットワークにおいて開催を希望するコンテンツ共有サービスのためのサービス識別情報を、通信部４２００は情報処理装置４３０へ要求する（Ｓ４０２）。
【０３１８】
続いて、情報処理装置４３０は、第１の通信端末４１０から受信された上記の要求に基づいて当該コンテンツ共有サービスのサービス識別情報を発行し、そして、第１の通信端末４１０へ当該サービス識別情報を送信する（Ｓ４０３）。
【０３１９】
続いて、入力部４１１０に対する利用者の操作により、第１の通信端末４１０は、当該サービス識別情報を用いて、当該ローカルネットワークにおいてコンテンツ共有サービスを開始する（Ｓ４０４）。
【０３２０】
続いて、利用者識別情報発行部４１０２は、第１の通信端末４１０に対して、Ｓ４０３で受信されたサービス識別情報に対応づけられたサービス利用者識別情報を発行する（Ｓ４０５）。そして、記憶部４１０６は、Ｓ４０３で受信されたサービス識別情報と、Ｓ４０５で発行されたサービス利用者識別情報と、を対応づけて記憶する（Ｓ４０６）。
【０３２１】
続いて、入力部４２１０に対する利用者の操作により、第２の通信端末４２０は、予めダウンロードされた、コンテンツ共有サービスを利用するためのアプリケーションを起動する（Ｓ４０７）。
【０３２２】
続いて、第２の通信端末４２０のサービス利用要求部４２０２は、第１の通信端末４１０に対して、第１の通信端末４１０により開催されているコンテンツ共有サービスの利用を、通信部４２００を介して要求する（Ｓ４０８）。
【０３２３】
続いて、利用者識別情報発行部４１０２は、第２の通信端末４２０から受信された上記の要求に基づいて、第２の通信端末４２０に対して、Ｓ４０５で発行されたサービス利用者識別情報とは異なるサービス利用者識別情報を発行する。そして、記憶部４１０６は、Ｓ４０３で受信されたサービス識別情報と、第２の通信端末４２０に対して発行されたサービス利用者識別情報と、を対応づけて記憶する（Ｓ４０９）。
【０３２４】
続いて、送信制御部４１０４は、記憶部４１０６に記憶されたサービス識別情報と、Ｓ４０９で発行されたサービス利用者識別情報と、を第２の通信端末４２０へ通信部４１００に送信させる。そして、第２の通信端末４２０の記憶部４２０６は、第１の通信端末４１０から受信されたサービス識別情報と、サービス利用者識別情報と、を対応づけて記憶する（Ｓ４１０）。
【０３２５】
ここで、複数の第２の通信端末４２０が当該ローカルネットワークに接続されている場合には、Ｓ４０７〜Ｓ４１０の動作は、当該ローカルネットワークに接続されている第２の通信端末４２０の台数だけ繰り返されてもよい。
【０３２６】
続いて、第１の通信端末４１０および第２の通信端末４２０は、例えば図４０に示したコンテンツ共有サービス画面を表示し、それぞれの端末に記憶されているコンテンツを共有したり、チャットを行う（Ｓ４１１）。
【０３２７】
より具体的には、例えば、第２の通信端末４２０によりコンテンツが投稿される場合には、まず、第１の通信端末４１０の通信部４１００は、第２の通信端末４２０から、第２の通信端末４２０に記憶されているコンテンツに対応するメタ情報と、第２の通信端末４２０に対して発行されたサービス利用者識別情報とを受信する。そして、記憶部４１０６は、例えば図４１に示したコンテンツ共有リストのように、第２の通信端末４２０から受信された、メタ情報と、サービス利用者識別情報とを対応づけて記憶する。
【０３２８】
また、第１の通信端末４１０によりコンテンツが投稿される場合には、第１の通信端末４１０の記憶部４１０６は、同様に、当該コンテンツに対応するメタ情報と、第１の通信端末４１０に対して発行されたサービス利用者識別情報とを対応づけて記憶する。
【０３２９】
また、第２の通信端末４２０ａが、例えば他の利用者が所有する音楽の再生を希望する場合には、まず、第１の通信端末４１０の通信部４１００は、第２の通信端末４２０ａから、当該音楽を所有する通信端末（ここでは説明の便宜上、第２の通信端末４２０ｂとする）に対して発行されたサービス利用者識別情報の提供要求を受信する。そして、送信制御部４１０４は、記憶部４１０６に記憶されている、第２の通信端末４２０ｂのサービス利用者識別情報を第２の通信端末４２０ａへ通信部４１００に送信させる。これにより、第２の通信端末４２０ａは、第２の通信端末４２０ｂに対して、例えば当該音楽のストリーミング形式による送信であったり、当該ローカルネットワークに接続されている再生装置による再生などを要求することができる。
【０３３０】
続いて、例えばコンテンツ共有サービスの終了時などに、第１の通信端末４１０の送信制御部４１０４は、記憶部４１０６に記憶されている、サービス識別情報と、Ｓ４０５およびＳ４０９で発行されたサービス利用者識別情報の一覧と、当該コンテンツ共有サービスでのコンテキストと、を情報処理装置４３０へ通信部４１００に送信させる（Ｓ４１２）。
【０３３１】
その後、情報処理装置４３０は、第１の通信端末４１０から受信された、サービス識別情報と、サービス利用者識別情報の一覧と、当該コンテンツ共有サービスでのコンテキストと、を対応づけて記憶する（Ｓ４１３）。
【０３３２】
（４−４−２．コンテンツ共有サービス後の振り返りの動作）
続いて、第４の実施形態によるコンテンツ共有サービス後の振り返りの動作について説明する。図４３は、第４の実施形態によるコンテンツ共有サービス後の振り返りの動作を示すシーケンス図である。なお、図４３では、第１の通信端末４１０および第２の通信端末４２０は、原則として、上記のローカルネットワークから離脱していることを前提とする。
【０３３３】
ここで、第１の通信端末４１０の利用者が、図４２のＳ４１１における、コンテンツ共有サービスでのコンテキストを振り返ることを希望する場合には、図４３に示したように、まず、入力部４１１０に対する利用者の操作により、第１の通信端末４１０は、上述した、コンテンツ共有サービスを利用するためのアプリケーションを起動する（Ｓ４２１）。
【０３３４】
続いて、入力部４１１０に対する利用者の操作により、サービス履歴取得部４１０８は、記憶部４１０６に記憶されている、当該コンテンツ共有サービスのサービス識別情報と、自端末に発行されたサービス利用者識別情報と、例えば参照を希望するコンテンツに対応するメタ情報と、を通信網１１２を介して情報処理装置４３０へ、通信部４１００に送信させる（Ｓ４２２）。ここで、サービス履歴取得部４１０８は、上記のメタ情報については、情報処理装置４３０へ通信部４１００に送信させなくてもよい。
【０３３５】
続いて、情報処理装置４３０は、第１の通信端末４１０から受信された上記の情報に応じて、例えば当該コンテンツ共有サービスでのコンテキストと、受信されたメタ情報に対応するコンテンツの所有者の通信端末（ここでは説明の便宜上、第２の通信端末４２０ｂとする）の識別情報とを第１の通信端末４１０へ送信する（Ｓ４２３）。ここで、情報処理装置４３０は、Ｓ４２２においてメタ情報を受信していない場合には、上記のコンテンツの所有者の通信端末の識別情報については、第１の通信端末４１０へ送信しなくてもよい。
【０３３６】
なお、Ｓ４２３の変形例として、情報処理装置４３０は、第１の通信端末４１０から受信された上記の情報に応じて、例えば図２４に示したイベントサマリー画面２２０のような集合画像を第１の通信端末４１０へ送信してもよい。この変形例によれば、第１の通信端末４１０の利用者は、例えば撮影画像などの、共有されたコンテンツの内容が簡潔に纏められた形式により、振り返ることができる。
【０３３７】
続いて、入力部４１１０に対する利用者の操作により、第１の通信端末４１０の通信部４１００は、第２の通信端末４２０ｂに対して、例えばコンテンツの表示または再生を要求する（Ｓ４２４）。
【０３３８】
続いて、第２の通信端末４２０ｂは、第１の通信端末４１０から受信された要求に応じて、例えば第１の通信端末４１０に当該コンテンツを表示させたり、ストリーミング形式により当該コンテンツを送信する（Ｓ４２５）。
【０３３９】
続いて、第２の通信端末４２０ａの利用者が、同様に、コンテンツ共有サービスでのコンテキストを振り返ることを希望する場合には、入力部４２１０に対する利用者の操作により、第２の通信端末４２０ａは、上述した、コンテンツ共有サービスを利用するためのアプリケーションを起動する（Ｓ４２６）。
【０３４０】
続いて、入力部４２１０に対する利用者の操作により、サービス履歴取得部４２０８は、記憶部４２０６に記憶されている、当該コンテンツ共有サービスのサービス識別情報と、自端末に発行されたサービス利用者識別情報と、例えば参照を希望するコンテンツに対応するメタ情報と、を通信網１１２を介して情報処理装置４３０へ、通信部４２００に送信させる（Ｓ４２７）。ここで、サービス履歴取得部４２０８は、上記のメタ情報については、情報処理装置４３０へ通信部４２００に送信させなくてもよい。
【０３４１】
続いて、情報処理装置４３０は、第２の通信端末４２０ａから受信された上記の情報に応じて、例えば当該コンテンツ共有サービスでのコンテキストと、受信されたメタ情報に対応するコンテンツの所有者の通信端末（ここでは説明の便宜上、第２の通信端末４２０ｂとする）の識別情報とを第２の通信端末４２０ａへ送信する（Ｓ４２８）。ここで、情報処理装置４３０は、Ｓ４２７においてメタ情報を受信していない場合には、上記のコンテンツの所有者の通信端末の識別情報については、第２の通信端末４２０ａへ送信しなくてもよい。
【０３４２】
なお、Ｓ４２８の変形例として、Ｓ４２３と同様に、情報処理装置４３０は、第２の通信端末４２０ａから受信された上記の情報に応じて、例えば図２４に示したイベントサマリー画面２２０のような集合画像を第２の通信端末４２０ａへ送信してもよい。
【０３４３】
続いて、入力部４２１０に対する利用者の操作により、第２の通信端末４２０ａの通信部４２００は、第２の通信端末４２０ｂに対して、例えばコンテンツの表示または再生を要求する（Ｓ４２９）。
【０３４４】
続いて、第２の通信端末４２０ｂは、第２の通信端末４２０ａから受信された要求に応じて、例えば第２の通信端末４２０ａに当該コンテンツを表示させたり、ストリーミング形式により当該コンテンツを送信する（Ｓ４３０）。
【０３４５】
以上、図４３を参照して、コンテンツ共有サービス後の振り返りの動作について説明したが、上述した動作に限定されない。例えば、Ｓ４２１〜Ｓ４２５の動作と、Ｓ４２６〜Ｓ４３０の動作とは、図４３に示した順序で処理される代わりに、並列に処理されてもよい。
【０３４６】
また、Ｓ４２１より前に、例えば情報処理装置４３０は、第１の通信端末４１０および第２の通信端末４２０に、例えば情報処理装置４３０が管理する親サービスに対して登録させてもよい。そして、情報処理装置４３０は、当該親サービスに対する登録過程において、例えば利用者の氏名、年齢、職業など、より私的な情報を、第１の通信端末４１０および第２の通信端末４２０の利用者に登録させてもよい。この変形例によれば、情報処理装置４３０は、当該利用者に関する、より私的な情報を収集することができるので、例えば広告やマーケティングなどに活用したり、当該利用者に対する、課金制のサービス機能への導線を作りやすくなるという利点がある。
【０３４７】
［４−５．第４の実施形態による効果］
以上説明したように、第４の実施形態によれば、第１の通信端末４１０は、共有されているコンテンツを管理する情報処理装置４３０から、通信サービスに対応づけられたサービス識別情報を取得し、第２の通信端末４２０に対して、当該サービス識別情報に対応づけられたサービス利用者識別情報を発行する。そして、第１の通信端末４１０は、当該サービス識別情報、および第２の通信端末４２０に対して発行されたサービス利用者識別情報を情報処理装置４３０へ送信する。このため、第２の通信端末４２０の利用者は、当該サービス識別情報と、第１の通信端末４１０により発行されたサービス利用者識別情報と、を情報処理装置４３０へ通信網１１２を介して送信することにより、通信サービスの終了後であっても、当該通信サービスにおける利用者との同一性が情報処理装置４３０により保証される。従って、第１の通信端末４１０は、当該通信サービスにおいて繋がったユーザ同士が当該通信サービスの終了後に繋がりを維持することを支援することができる。
【０３４８】
例えば、通信サービスがコンテンツ共有サービスである場合には、第２の通信端末４２０の利用者は、通信サービスの終了後であっても、第１の通信端末４１０または他の第２の通信端末４２０との間で共有した、例えば撮影画像や、チャットの内容などのコンテキストを振り返ったり、再度共有することができる。
【０３４９】
また、通信サービスがコンテンツ共有サービスである場合には、第１の通信端末４１０と第２の通信端末４２０との間、および第２の通信端末４２０同士で共有されるのは、上述したように、コンテンツに対応するメタ情報、およびサービス利用者識別情報のみとすることができる。このため、コンテンツ自体は共有されないので、例えば音楽などのコンテンツの著作権を保護することが可能である。
【０３５０】
また、第２の通信端末４２０が通信サービスを利用する上で、第１の通信端末４１０および他の第２の通信端末４２０に対して提供する情報は、原則として、第１の通信端末４１０から取得されるサービス識別情報と、サービス利用者識別情報だけである。このため、第２の通信端末４２０は、例えば自端末の識別情報や個人情報などの私的な情報を、第１の通信端末４１０および他の第２の通信端末４２０に対して公開しないので、私的な情報が不正利用される恐れがほとんどない。従って、第２の通信端末４２０の利用者は、気軽に通信サービスを利用することができる。また、第１の通信端末４１０の利用者にとっては、上記の理由により、より多くの第２の通信端末４２０の利用者が通信サービスに参加することが期待できるという利点がある。
【０３５１】
なお、添付図面を参照しながら本開示の好適な実施形態について詳細に説明したが、本開示はかかる例に限定されない。本開示の属する技術の分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０３５２】
なお、以下のような構成も本開示の技術的範囲に属する。
（１）
他の通信端末から、通信サービスに接続するための接続情報と前記他の通信端末の利用者の識別情報とを含む第１の情報を取得する情報取得部と、
前記情報取得部により取得された前記第１の情報に基づいて、前記接続情報と自端末の利用者の識別情報とを含む第２の情報を生成する情報生成部と、
を備える、通信端末。
（２）
前記通信端末は、前記通信サービスを管理するサービス管理装置に対して、前記他の通信端末の利用者の識別情報および前記通信端末の利用者の識別情報を通信部に送信させる送信制御部をさらに備える、前記（１）に記載の通信端末。
（３）
前記第１の情報は情報コードであり、
前記情報取得部は、前記他の通信端末に表示された前記第１の情報である情報コードを撮像により取得する、前記（１）または（２）に記載の通信端末。
（４）
前記通信端末は、前記情報生成部により生成された前記第２の情報を他の通信端末へ伝搬する情報伝搬部をさらに備える、前記（１）〜（３）のいずれか一項に記載の通信端末。
（５）
前記第２の情報は情報コードであり、
前記情報伝搬部は、前記第２の情報である情報コードを表示により伝搬する、前記（４）に記載の通信端末。
（６）
前記送信制御部は、前記情報取得部による前記第１の情報の取得に応じて、前記他の通信端末の利用者の識別情報および前記通信端末の利用者の識別情報を前記通信部に送信させる、前記（２）〜（５）のいずれか一項に記載の通信端末。
（７）
前記接続情報は、前記サービス管理装置のアドレス情報および前記通信サービスの識別情報を含む、前記（２）〜（６）のいずれか一項に記載の通信端末。
（８）
前記接続情報は、前記通信サービスに接続された所定のアクセスポイントの識別子および前記所定のアクセスポイントに接続するための認証情報を含む、前記（１）〜（７）のいずれか一項に記載の通信端末。
（９）
通信サービスの接続情報および自端末の利用者の識別情報を第１の通信端末から伝搬された通信端末である第２の通信端末から、前記第１の通信端末の利用者の識別情報と、前記第２の通信端末の利用者の識別情報と、を受信する受信部と、
前記第１の通信端末の利用者と前記第２の通信端末の利用者との関連性を示すソーシャルグラフを生成するグラフ生成部と、
を備える、情報処理装置。
（１０）
前記受信部は、前記接続情報および前記第２の通信端末の利用者の識別情報を前記第２の通信端末から伝搬された通信端末である第３の通信端末から、前記第２の通信端末の利用者の識別情報と、前記第３の通信端末の利用者の識別情報と、をさらに受信し、
前記グラフ生成部は、前記ソーシャルグラフに対して、前記第２の通信端末の利用者と前記第３の通信端末の利用者との関係性を示すグラフを追加する、前記（９）に記載の情報処理装置。
（１１）
他の通信端末から、通信サービスに接続するための接続情報と前記他の通信端末の利用者の識別情報とを含む第１の情報を取得することと、
取得された前記第１の情報に基づいて、前記接続情報と自端末の利用者の識別情報とを含む第２の情報を生成することと、
を備える、通信方法。
（１２）
通信サービスの接続情報および自端末の利用者の識別情報を第１の通信端末から伝搬された通信端末である第２の通信端末から、前記第１の通信端末の利用者の識別情報と、前記第２の通信端末の利用者の識別情報と、を受信することと、
前記第１の通信端末の利用者と前記第２の通信端末の利用者との関連性を示すソーシャルグラフを生成することと、
を備える、情報処理方法。
（１３）
コンピュータを、
他の通信端末から、通信サービスに接続するための接続情報と前記他の通信端末の利用者の識別情報とを含む第１の情報を取得する情報取得部と、
前記情報取得部により取得された前記第１の情報に基づいて、前記接続情報と自端末の利用者の識別情報とを含む第２の情報を生成する情報生成部、
として機能させるための、プログラム。
（１４）
通信端末、および情報処理装置を有し、
前記通信端末は、
他の通信端末から、通信サービスに接続するための接続情報と前記他の通信端末の利用者の識別情報とを含む第１の情報を取得する情報取得部と、
前記情報取得部により取得された前記第１の情報に基づいて、前記接続情報と自端末の利用者の識別情報とを含む第２の情報を生成する情報生成部と、
を備え、
前記情報処理装置は、
前記通信端末から、前記他の通信端末の利用者の識別情報および前記通信端末の利用者の識別情報を受信する受信部と、
前記他の通信端末の利用者と前記通信端末の利用者との関連性を示すソーシャルグラフを生成するグラフ生成部と、
を備える、通信システム。
【符号の説明】
【０３５３】
１１０  第１の通信端末
１１２  通信網
１２０  第２の通信端末
１３０  再生装置
１６０  再生情報データベース
１７０  表示装置
１９０  音楽販売サービス
２００  通信端末
２１０  画像処理装置
３１０  通信端末
３２０  情報処理装置
４１０  第１の通信端末
４２０  第２の通信端末
４３０  情報処理装置
１１００  通信部
１１０２  再生リスト管理部
１１０４  記憶部
１１０６  記憶情報操作部
１１０８  再生リスト送信部
１１１０  再生制御部
１１１２  表示部
１１１４  入力部
１１１６  撮影部
１１１８  再生情報データベース操作部
１１２０  コンテンツ要求部
１１５０  ＣＰＵ
１１５２  ＲＯＭ
１１５４  ＲＡＭ
１１５６  内部バス
１１５８  インターフェース
１１６０  入力装置
１１６２  出力装置
１１６４  ストレージ装置
１１６６  撮影装置
１１６８  通信装置
１２００  通信部
１２０２  記憶部
１２０４  表示部
１２０６  入力部
１２０６  表示部
１２０８  撮影部
２１００  通信部
２１０２  記憶部
２１０４  人物認識部
２１０６  画像評価部
２１０８  画像選択部
２１１０  集合画像生成部
２１１２  色相解析部
２１１４  サービス情報決定部
２１１６  アクセス管理部
３１００  通信部
３１０２  情報取得部
３１０４  情報生成部
３１０６  送信制御部
３１０８  情報伝搬部
３１１０  記憶部
３１１２  入力部
３２００  通信部
３２０２  グラフ生成部
３２０４  記憶部
４１００  通信部
４１０２  利用者識別情報発行部
４１０４  送信制御部
４１０６  記憶部
４１０８  サービス履歴取得部
４１１０  入力部
４１１２  表示部
４２００  通信部
４２０２  サービス利用要求部
４２０４  送信制御部
４２０６  記憶部
４２０８  サービス履歴取得部
４２１０  入力部
４２１２  表示部
【図１】
2014073276.tif 000003
【図２】
2014073276.tif 000004
【図３】
2014073276.tif 000005
【図４】
2014073276.tif 000006
【図５】
2014073276.tif 000007
【図６】
2014073276.tif 000008
【図７】
2014073276.tif 000009
【図８】
2014073276.tif 000010
【図９】
2014073276.tif 000011
【図１０】
2014073276.tif 000012
【図１１】
2014073276.tif 000013
【図１２】
2014073276.tif 000014
【図１３】
2014073276.tif 000015
【図１４】
2014073276.tif 000016
【図１５】
2014073276.tif 000017
【図１６】
2014073276.tif 000018
【図１７】
2014073276.tif 000019
【図１８】
2014073276.tif 000020
【図１９】
2014073276.tif 000021
【図２０】
2014073276.tif 000022
【図２１】
2014073276.tif 000023
【図２２】
2014073276.tif 000024
【図２３】
2014073276.tif 000025
【図２４】
2014073276.tif 000026
【図２５】
2014073276.tif 000027
【図２６】
2014073276.tif 000028
【図２７】
2014073276.tif 000029
【図２８】
2014073276.tif 000030
【図２９】
2014073276.tif 000031
【図３０】
2014073276.tif 000032
【図３１】
2014073276.tif 000033
【図３２】
2014073276.tif 000034
【図３３】
2014073276.tif 000035
【図３４】
2014073276.tif 000036
【図３５】
2014073276.tif 000037
【図３６】
2014073276.tif 000038
【図３７】
2014073276.tif 000039
【図３８】
2014073276.tif 000040
【図３９】
2014073276.tif 000041
【図４０】
2014073276.tif 000042
【図４１】
2014073276.tif 000043
【図４２】
2014073276.tif 000044
【図４３】
2014073276.tif 000045
【国際調査報告】
2014073276.tif 000046
2014073276.tif 000047